(57)【要約】  本発明の端末装置およびその制御方法ならびに被監視者監視システムは、被監視者に関わる所定のイベントの内容を表すイベント情報を収容したイベント通知通信信号を受信した場合に、この受信した通信信号のイベント情報で表される前記イベントの内容を表示するためのイベント画面を表示し、この表示されたイベント画面に表示された前記イベントに対して所定の対応を実施する意思が監視者にある旨の入力を対応入力部で受け付けると、前記被監視者を監視する監視機能を停止する。
2017145520.tif 000002
【特許請求の範囲】
【請求項１】
通信を行う通信部と、
表示を行う表示部と、
監視対象である被監視者に関わる所定のイベントの内容を表すイベント情報を収容した、前記イベントを通知するためのイベント通知通信信号を前記通信部で受信した場合に、前記受信したイベント通知通信信号に収容されたイベント情報で表される前記イベントの内容を表示するためのイベント画面を前記表示部に表示する表示処理部と、
前記表示部に表示されたイベント画面に表示された前記イベントに対して所定の対応を実施する意思が監視者にある旨の入力を受け付ける対応入力部と、
前記対応入力部で入力操作を受け付けた場合に、前記被監視者を監視する監視機能を停止する停止処理部とを備える、
端末装置。
【請求項２】
前記監視機能の停止を所定の解除時間の経過後に解除する解除処理部をさらに備える、
請求項１に記載の端末装置。
【請求項３】
前記解除時間の設定値を受け付ける解除時間入力部と、
前記解除時間入力部で受け付けた前記解除時間の設定値を記憶する解除時間記憶部とをさらに備え、
前記解除処理部は、前記解除時間記憶部に記憶された前記設定値の解除時間の経過後に、前記監視機能の停止を解除する、
請求項２に記載の端末装置。
【請求項４】
前記監視機能の停止を受け付ける停止入力部をさらに備え、
前記停止処理部は、さらに、前記停止入力部で監視機能の停止を受け付けた場合に、前記被監視者を監視する監視機能を停止する、
請求項１ないし請求項３のいずれか１項に記載の端末装置。
【請求項５】
前記イベント通知通信信号は、被監視者を監視する複数の被監視者監視装置それぞれに起因して送信され、
前記監視機能の停止およびその停止の解除の別を被監視者監視装置に対応付けて監視機能動作状況情報として記憶する監視機能動作状況情報記憶部をさらに備え、
前記表示処理部は、前記監視機能動作状況情報記憶部に記憶されている監視機能動作状況情報に基づいて、前記複数の被監視者監視装置における監視機能動作状況を表示するための監視機能動作状況画面を前記表示部に表示し、
前記監視機能動作状況画面は、前記監視機能を停止している被監視者監視装置を表す停止装置情報を表示するための監視機能停止表示領域と、前記監視機能の停止を解除している被監視者監視装置を表す解除装置情報を表示するための監視機能稼働表示領域とを備え、
前記表示処理部は、前記監視機能動作状況画面の監視機能停止表示領域に、前記監視機能を停止している被監視者監視装置を表す停止装置情報を表示し、前記監視機能動作状況画面の監視機能稼働表示領域に、前記監視機能の停止を解除している被監視者監視装置を表す解除装置情報を表示する、
請求項１ないし請求項４のいずれか１項に記載の端末装置。
【請求項６】
前記表示処理部は、前記監視機能動作状況画面の監視機能停止表示領域に、前記停止装置情報を、前記監視機能を停止した時刻の時系列順に、または、前記監視機能を停止している時間の時間長順に、表示する、
請求項５に記載の端末装置。
【請求項７】
監視対象である被監視者に関わる所定のイベントの内容を表すイベント情報を収容した、前記イベントを通知するためのイベント通知通信信号を受信する受信工程と、
前記受信工程で受信したイベント通知通信信号に収容されたイベント情報で表される前記イベントの内容を表示するためのイベント画面を、表示を行う表示部に表示する表示処理工程と、
前記表示部に表示されたイベント画面に表示された前記イベントに対して所定の対応を実施する意思が監視者にある旨の入力を受け付ける対応入力工程と、
前記対応入力工程で入力操作を受け付けた場合に、前記被監視者を監視する監視機能を停止する停止処理工程とを備える、
端末装置の制御方法。
【請求項８】
監視対象である被監視者を監視して前記被監視者に関わる所定のイベントの内容を表すイベント情報を収容した、前記イベントを通知するためのイベント通知通信信号を送信する被監視者監視装置と、
請求項１ないし請求項６のいずれか１項に記載の端末装置とを備える、
被監視者監視システム。
【発明の詳細な説明】
【技術分野】
【０００１】
本発明は、監視すべき監視対象である被監視者を監視する被監視者監視システムに好適に用いられる端末装置および前記端末装置の制御方法、ならびに、前記被監視者監視システムに関する。
【背景技術】
【０００２】
我が国（日本）は、戦後の高度経済成長に伴う生活水準の向上、衛生環境の改善および医療水準の向上等によって、高齢化社会、より詳しくは、総人口に対する６５歳以上の人口の割合である高齢化率が２１％を超える超高齢化社会になっている。２００５年では、総人口約１億２７６５万人に対し６５歳以上の高齢者人口は、約２５５６万人であったのに対し、２０２０年では、総人口約１億２４１１万人に対し高齢者人口は、約３４５６万人となる予測もある。このような高齢化社会では、病気や怪我や高齢等による看護や介護を必要とする要看護者や要介護者（要看護者等）は、高齢化社会ではない通常の社会で生じる要看護者等よりもその増加が見込まれる。そして、我が国は、例えば２０１３年の合計特殊出生率が１．４３という少子化社会でもある。そのため、高齢な要看護者等を高齢の家族（配偶者、子、兄弟）が介護する老老介護も起きて来ている。【０００３】
要看護者等は、病院や、老人福祉施設（日本の法令では老人短期入所施設、養護老人ホームおよび特別養護老人ホーム等）等の施設に入所し、その看護や介護を受ける。このような施設では、要看護者等が、例えばベッドからの転落や歩行中の転倒等によって怪我を負ったり、ベッドから抜け出して徘徊したりするなどの事態が生じ得る。このような事態に対し、可及的速やかに対応する必要がある。また、このような事態を放置しておくとさらに重大な事態に発展してしまう可能性もある。このため、前記施設では、看護師や介護士等は、定期的に巡視することによってその安否や様子を確認している。【０００４】
しかしながら、要看護者等の増加数に対し看護師等の増加数が追い付かずに、看護業界や介護業界では、慢性的に人手不足になっている。さらに、日勤の時間帯に較べ、準夜勤や夜勤の時間帯では、看護師や介護士等の人数が減るため、一人当たりの業務負荷が増大するので、前記業務負荷の軽減が要請される。また、前記老老介護の事態は、前記施設でも例外ではなく、高齢の要看護者等を高齢の看護師等がケアすることもしばしば見られる。一般に高齢になると体力が衰えるため、健康であっても若い看護師等に比し看護等の負担が重くなり、また、その動きや判断も遅くなる。【０００５】
このような人手不足や看護師等の負担を軽減するため、看護業務や介護業務を補完する技術が求められている。このため、近年では、要看護者等の、監視すべき監視対象である被監視者を監視（モニタ）する被監視者監視技術が研究、開発されている。【０００６】
このような技術の一つとして、例えば特許文献１に開示されたナースコールシステムがある。この特許文献１に開示されたナースコールシステムは、患者が医療従事者を呼び出す際に使用され、前記患者による呼び出しを検出する呼出操作部と、所定の状態を検出するセンサと、前記ナースコール親機との間で通信を行う子機インターフェースと、前記呼出操作部が前記呼び出しを検出することにより呼出信号を生成して前記子機インターフェースにより前記ナースコール親機へ出力するとともに前記センサが前記所定の状態を検出することによりセンサ呼出信号を生成して前記子機インターフェースにより前記ナースコール親機へ出力する子機制御部とを備えたナースコール子機と、前記ナースコール子機との間で通信を行う親機インターフェースと、前記患者による呼び出しおよび前記所定の状態の発生を報知する報知部と、所定時間を計測するタイマー部と、前記親機インターフェースが前記呼出信号および前記センサ呼出信号の何れか一方を入力した場合に前記報知部を動作させるとともに、前記親機インターフェースが前記子機呼出信号を入力した場合に、前記タイマー部が前記所定時間を計測するまで、前記親機インターフェースが前記センサ呼出信号を入力しても前記報知部を動作させないように制御する親機制御部とを備えたナースコール親機と、を有する。【０００７】
一方、安否確認の点では、一人暮らしの独居者も前記要介護者等と同様であり、被監視対象者となる。【０００８】
ところで、前記特許文献１に開示されたナースコールシステムでは、ナースコール親機は、ナースコール子機による子機呼出信号を親機インターフェースが入力した場合に、タイマー部が所定時間を計測するまで、ナースコール子機によるセンサ呼出信号を親機インターフェースが入力しても報知部を動作しないように制御する。このため、監視者の一例である医療従事者が、被監視者の一例である患者の呼び出しに応じて前記患者の下に赴いた場合、前記センサが前記医療従事者の状態を検出しても報知されないため、誤報を低減できる。しかしながら、監視者が被監視者のナースコールに直ちに応じられるとは限らず、このような場合、前記特許文献１に開示されたナースコールシステムは、前記子機呼出信号に応じて一律に前記報知部を動作しないように制御するため、前記特許文献１に開示されたナースコールシステムでは、被監視者に生じた所定の状態が報知されない時間帯が、生じてしまう。
【先行技術文献】
【特許文献】
【０００９】
【特許文献１】特開２０１１−３０７３２号公報
【発明の概要】
【００１０】
本発明は、上述の事情に鑑みて為された発明であり、その目的は、被監視者における所定のイベント（事象）の検出やその報知やその表示等の監視機能に対するその動作および非動作を適切に切り換えることができる端末装置および端末装置の制御方法ならびに被監視者監視システムを提供することである。
【００１１】
本発明にかかる端末装置およびその制御方法ならびに被監視者監視システムは、被監視者に関わる所定のイベントの内容を表すイベント情報を収容したイベント通知通信信号を受信した場合に、この受信した通信信号のイベント情報で表される前記イベントの内容を表示するためのイベント画面を表示し、この表示されたイベント画面に表示された前記イベントに対して所定の対応を実施する意思が監視者にある旨の入力を対応入力部で受け付けると、前記被監視者を監視する監視機能を停止する。
【００１２】
上記並びにその他の本発明の目的、特徴及び利点は、以下の詳細な記載と添付図面から明らかになるであろう。
【図面の簡単な説明】
【００１３】
【図１】実施形態における被監視者監視システムの構成を示す図である。
【図２】前記被監視者監視システムにおけるセンサ装置の構成を示す図である。
【図３】前記被監視者監視システムにおける管理サーバ装置の構成を示す図である。
【図４】前記被監視者監視システムにおける監視情報テーブルの構成を示す図である。
【図５】前記被監視者監視システムにおける装置間情報テーブルの構成を示す図である。
【図６】前記被監視者監視システムにおけるセンサ情報テーブルの構成を示す図である。
【図７】前記被監視者監視システムにおける監視機能動作状況情報テーブルの構成を示す図である。
【図８】前記被監視者監視システムにおける携帯端末装置の構成を示す図である。
【図９】前記センサ装置の動作を示すフローチャートである。
【図１０】前記管理サーバ装置の動作を示すフローチャートである。
【図１１】前記携帯端末装置の動作を示すフローチャートである。
【図１２】「対応する」ボタンの入力操作を受け付けた場合における前記携帯端末装置の動作を示すフローチャートである。
【図１３】前記携帯端末装置に表示される待受け画面の一例を示す図である。
【図１４】前記携帯端末装置に表示される監視情報画面の一例を示す図である。
【図１５】前記携帯端末装置に表示されるナースコール受付画面の一例を示す図である。
【図１６】前記携帯端末装置に表示される解除時間設定ウィンドウの一例を示す図である。
【図１７】前記携帯端末装置に表示される監視機能動作状況画面の一例を示す図である。
【発明を実施するための形態】
【００１４】
以下、本発明にかかる実施の一形態を図面に基づいて説明する。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００１５】
実施形態における被監視者監視システムは、監視すべき（見守るべき）監視対象（見守り対象）である被監視者（見守り対象者）Ｏｂを監視するものであり、端末装置と、前記端末装置と通信可能に接続され、被監視者Ｏｂに関わる所定のイベント（事象）を前記端末装置へ通知する被監視者監視装置とを備える。この被監視者監視装置は、１個の装置で一体に構成されて良いが、本実施形態では、被監視者監視装置は、センサ装置と、前記センサ装置および前記端末装置それぞれと通信可能に接続される管理サーバ装置とを備えることで、２種類の各装置で別体に構成される。このセンサ装置は、被監視者Ｏｂを監視して被監視者Ｏｂに関わる所定のイベントの内容を表すイベント情報を収容した、前記イベントを通知（報知）するための第１イベント通知通信信号を管理サーバ装置へ送信する。記管理サーバ装置は、前記センサ装置から前記第１イベント通知通信信号を受信すると、前記第１イベント通知通信信号に起因して前記イベント情報を第２イベント通知通信信号で前記センサ装置に対応付けられた所定の端末装置へ監視機能の設定内容に応じて再送信（再通知、再報知）する。前記端末装置は、通信を行う通信部と、表示を行う表示部と、監視対象である被監視者に関わる所定のイベントの内容を表すイベント情報を収容した、前記イベントを通知するためのイベント通知通信信号（この例では第１イベント通知通信信号による第２イベント通知通信信号）を前記通信部で受信した場合に、前記受信したイベント通知通信信号に収容されたイベント情報で表される前記イベントの内容を表示するためのイベント画面を前記表示部に表示する表示処理部と、前記表示部に表示されたイベント画面に表示された前記イベントに対して所定の対応を実施する意思が監視者にある旨の入力を受け付ける対応入力部と、前記対応入力部で入力操作を受け付けた場合に、前記被監視者を監視する監視機能を停止する停止処理部とを備える。前記端末装置は、前記第２イベント通知通信信号を前記管理サーバ装置から受信すると前記所定のイベントの内容を表示する。前記端末装置は、その対応入力部で入力操作を受け付けると、前記第１イベント通知通信信号の送信元のセンサ装置に、前記第１イベント通知通信信号の送信を停止させることで、前記被監視者を監視する監視機能を停止する。あるいは、前記端末装置は、その対応入力部で入力操作を受け付けると、前記第２イベント通知通信信号の送信元の管理サーバ装置に、前記第２イベント通知通信信号の送信を停止させることで、前記被監視者を監視する監視機能を停止する。さらにあるいは、前記端末装置は、管理サーバ装置から受信した第２イベント通知通信信号のイベント画面を表示しないことで、前記被監視者を監視する監視機能を停止する。なお、前記端末装置は、１種類の装置であって良いが、本実施形態態では、前記端末装置は、固定端末装置と携帯端末装置との２種類の装置である。これら固定端末装置と携帯端末装置との主な相違は、固定端末装置が固定的に運用される一方、携帯端末装置が例えば看護師や介護士等の監視者（ユーザ）に携行されて運用される点であり、これら固定端末装置と携帯端末装置とは、略同様であるので、以下では、携帯端末装置を主に説明する。
【００１６】
図１は、実施形態における被監視者監視システムの構成を示す図である。図２は、前記被監視者監視システムにおけるセンサ装置の構成を示す図である。図３は、前記被監視者監視システムにおける管理サーバ装置の構成を示す図である。図４は、前記被監視者監視システムにおける監視情報テーブルの構成を示す図である。図５は、前記被監視者監視システムにおける装置間情報テーブルの構成を示す図である。図５Ａは、装置間情報テーブルのうちの通知先対応関係情報テーブルの構成を示し、図５Ｂは、装置間情報テーブルのうちの通信アドレス対応関係情報テーブルの構成を示す。図６は、前記被監視者監視システムにおけるセンサ情報テーブルの構成を示す図である。図７は、前記被監視者監視システムにおける監視機能動作状況情報テーブルの構成を示す図である。図８は、前記被監視者監視システムにおける携帯端末装置の構成を示す図である。
【００１７】
実施形態における被監視者監視システムＭＳは、より具体的には、例えば、図１に示すように、１または複数のセンサ装置ＳＵ（ＳＵ−１〜ＳＵ−４）と、管理サーバ装置ＳＶと、固定端末装置ＳＰと、１または複数の携帯端末装置ＴＡ（ＴＡ−１、ＴＡ−２）と、構内交換機（ＰＢＸ、Ｐｒｉｖａｔｅ  ｂｒａｎｃｈ  ｅｘｃｈａｎｇｅ）ＣＸとを備え、これらは、有線や無線で、ＬＡＮ（Ｌｏｃａｌ  Ａｒｅａ  Ｎｅｔｗｏｒｋ）等の網（ネットワーク、通信回線）ＮＷを介して通信可能に接続される。ネットワークＮＷは、通信信号を中継する例えばリピーター、ブリッジおよびルーター等の中継機が備えられても良い。図１に示す例では、これら複数のセンサ装置ＳＵ−１〜ＳＵ−４、管理サーバ装置ＳＶ、固定端末装置ＳＰ、複数の携帯端末装置ＴＡ−１、ＴＡ−２および構内交換機ＣＸは、Ｌ２スイッチの集線装置（ハブ、ＨＵＢ）ＬＳおよびアクセスポイントＡＰを含む有線および無線の混在したＬＡＮ（例えばＩＥＥＥ８０２．１１規格に従ったＬＡＮ等）ＮＷによって互いに通信可能に接続されている。より詳しくは、複数のセンサ装置ＳＵ−１〜ＳＵ−４、管理サーバ装置ＳＶ、固定端末装置ＳＰおよび構内交換機ＣＸは、集線装置ＬＳに接続され、複数の携帯端末装置ＴＡ−１、ＴＡ−２は、アクセスポイントＡＰを介して集線装置ＬＳに接続されている。そして、ネットワークＮＷは、ＴＣＰ（Ｔｒａｎｓｍｉｓｓｉｏｎ  ｃｏｎｔｒｏｌ  ｐｒｏｔｏｃｏｌ）およびＩＰ（Ｉｎｔｅｒｎｅｔ  ｐｒｏｔｏｃｏｌ）等のインターネットプロトコル群が用いられることによっていわゆるイントラネットを構成する。
【００１８】
被監視者監視システムＭＳは、被監視者Ｏｂに応じて適宜な場所に配設される。被監視者（見守り対象者）Ｏｂは、例えば、病気や怪我等によって看護を必要とする者や、身体能力の低下等によって介護を必要とする者や、一人暮らしの独居者等である。特に、早期発見と早期対処とを可能にする観点から、被監視者Ｏｂは、例えば異常状態等の所定の不都合な事象がその者に生じた場合にその発見を必要としている者であることが好ましい。このため、被監視者監視システムＭＳは、被監視者Ｏｂの種類に応じて、病院、老人福祉施設および住戸等の建物に好適に配設される。図１に示す例では、被監視者監視システムＭＳは、複数の被監視者Ｏｂが入居する複数の居室ＲＭや、ナースステーション等の複数の部屋を備える介護施設の建物に配設されている。
【００１９】
センサ装置ＳＵは、ネットワークＮＷを介して他の装置ＳＶ、ＳＰ、ＴＡと通信する通信機能等を備え、被監視者Ｏｂに関わる、対処が必要な所定の事象（イベント）を、管理サーバ装置ＳＶへ通知する装置である。対処が必要な前記所定の事象は、例えば、本実施形態では、被監視者Ｏｂにおける予め設定された所定の行動およびナースコールである。このため、本実施形態では、センサ装置ＳＵは、被監視者Ｏｂにおける所定の行動を検知して検知結果を前記所定のイベントの一例として管理サーバ装置ＳＶへ通知（送信）し、ナースコールを受け付けて前記ナースコールの受付を前記所定のイベントの他の一例として管理サーバ装置ＳＶへ通知（送信）し、端末装置ＳＰ、ＴＡとの間で音声通話を行い、そして、動画を含む画像を生成して端末装置ＳＰ、ＴＡへ動画を配信する装置である。このようなセンサ装置ＳＵは、例えば、図２に示すように、撮像部１１と、センサ側音入出力部（ＳＵ音入出力部）１２と、ナースコール受付操作部１３と、センサ側制御処理部（ＳＵ制御処理部）１４と、センサ側通信インターフェース部（ＳＵ通信ＩＦ部）１５と、センサ側記憶部（ＳＵ記憶部）１６とを備える。
【００２０】
撮像部１１は、ＳＵ制御処理部１４に接続され、ＳＵ制御処理部１４の制御に従って、画像（画像データ）を生成する装置である。前記画像には、静止画（静止画データ）および動画（動画データ）が含まれる。撮像部１１は、監視すべき監視対象である被監視者Ｏｂが所在を予定している空間（所在空間、図１に示す例では配設場所の居室ＲＭ）を監視可能に配置され、前記所在空間を撮像対象としてその上方から撮像し、前記撮像対象を俯瞰した画像（画像データ）を生成し、前記撮像対象の画像（対象画像）をＳＵ制御処理部１４へ出力する。好ましくは、被監視者Ｏｂ全体を撮像できる蓋然性が高いことから、撮像部１１は、被監視者Ｏｂが横臥する寝具（例えばベッド等）における、被監視者Ｏｂの頭部が位置すると予定されている予め設定された頭部予定位置（通常、枕の配設位置）の直上から撮像対象を撮像できるように配設される。センサ装置ＳＵは、この撮像部１１によって、被監視者Ｏｂを、被監視者Ｏｂの上方から撮像した画像、好ましくは前記頭部予定位置の直上から撮像した画像を取得する。
【００２１】
このような撮像部１１は、可視光の画像を生成する装置であって良いが、比較的暗がりでも被監視者Ｏｂを監視できるように、本実施形態では、赤外線の画像を生成する装置である。このような撮像部１１は、例えば、本実施形態では、撮像対象における赤外の光学像を所定の結像面上に結像する結像光学系、前記結像面に受光面を一致させて配置され、前記撮像対象における赤外の光学像を電気的な信号に変換するイメージセンサ、および、イメージセンサの出力を画像処理することで前記撮像対象における赤外の画像を表すデータである画像データを生成する画像処理部等を備えるデジタル赤外線カメラである。撮像部１１の前記結像光学系は、本実施形態では、その配設された居室ＲＭ全体を撮像できる画角を持つ広角な光学系（いわゆる広角レンズ（魚眼レンズを含む））であることが好ましい。
【００２２】
ＳＵ音入出力部１２は、音を入出力する回路である。すなわち、ＳＵ音入出力部１２は、ＳＵ制御処理部１４に接続され、ＳＵ制御処理部１４の制御に従って音を表す電気信号に応じた音を生成して出力するための回路であって、外部の音を取得してセンサ装置ＳＵに入力するための回路である。ＳＵ音入出力部１２は、例えば、音の電気信号（音データ）を音の機械振動信号（音響信号）に変換するスピーカ等と、可聴領域の音の機械振動信号を電気信号に変換するマイクロフォン等とを備えて構成される。ＳＵ音入出力部１２は、外部の音を表す電気信号をＳＵ制御処理部１４へ出力し、また、ＳＵ制御処理部１４から入力された電気信号を音の機械振動信号に変換して出力する。
【００２３】
ナースコール受付操作部１３は、ＳＵ制御処理部１４に接続され、ナースコールを当該センサ装置ＳＵに入力するための例えば押しボタン式スイッチ等のスイッチ回路である。なお、ナースコール受付操作部１３は、有線でＳＵ制御処理部１４に接続されて良く、また例えば、Ｂｌｕｅｔｏｏｔｈ（登録商標）規格等の近距離無線通信でＳＵ制御処理部１４に接続されて良い。
【００２４】
ＳＵ通信ＩＦ部１５は、ＳＵ制御処理部１４に接続され、ＳＵ制御処理部１４の制御に従って通信を行うための通信回路である。ＳＵ通信ＩＦ部１５は、ＳＵ制御処理部１４から入力された転送すべきデータを収容した通信信号を、この被監視者監視システムＭＳのネットワークＮＷで用いられる通信プロトコルに従って生成し、この生成した通信信号をネットワークＮＷを介して他の装置ＳＶ、ＳＰ、ＴＡへ送信する。ＳＵ通信ＩＦ部１５は、ネットワークＮＷを介して他の装置ＳＶ、ＳＰ、ＴＡから通信信号を受信し、この受信した通信信号からデータを取り出し、この取り出したデータをＳＵ制御処理部１４が処理可能な形式のデータに変換してＳＵ制御処理部１４へ出力する。ＳＵ通信ＩＦ部１５は、例えば、ＩＥＥＥ８０２．１１規格等に従った通信インターフェース回路を備えて構成される。
【００２５】
ＳＵ記憶部１６は、ＳＵ制御処理部１４に接続され、ＳＵ制御処理部１４の制御に従って、各種の所定のプログラムおよび各種の所定のデータを記憶する回路である。前記各種の所定のプログラムには、例えば、センサ装置ＳＵの各部を当該各部の機能に応じてそれぞれ制御するＳＵ制御プログラムや、被監視者Ｏｂに対する監視に関する所定の情報処理を実行するＳＵ監視処理プログラム等の制御処理プログラムが含まれる。前記ＳＵ監視処理プログラムには、被監視者Ｏｂにおける所定の行動を検知して検知結果を前記所定のイベントの一例として管理サーバ装置ＳＶを介して所定の端末装置ＳＰ、ＴＡへ通知する行動検知処理プログラムや、ナースコール受付操作部１３でナースコールを受け付けた場合にその旨を前記所定のイベントの他の一例として管理サーバ装置ＳＶへ通知し、ＳＵ音入出力部１２等を用いることで端末装置ＳＰ、ＴＡとの間で音声通話を行うＳＵナースコール処理プログラムや、撮像部１１で生成した動画を、その動画を要求した端末装置ＳＰ、ＴＡへストリーミングで配信するＳＵストリーミング処理プログラム等が含まれる。前記各種の所定のデータには、自機の、センサ装置ＳＵを特定し識別するための識別子であるセンサ装置識別子（センサＩＤ）、および、管理サーバ装置ＳＶの通信アドレス等の、各プログラムを実行する上で必要なデータ等が含まれる。ＳＵ記憶部１６は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。ＳＵ記憶部１６は、前記所定のプログラムの実行中に生じるデータ等を記憶するいわゆるＳＵ制御処理部１４のワーキングメモリとなるＲＡＭ（Ｒａｎｄｏｍ  Ａｃｃｅｓｓ  Ｍｅｍｏｒｙ）等を含む。
【００２６】
ＳＵ制御処理部１４は、センサ装置ＳＵの各部を当該各部の機能に応じてそれぞれ制御し、被監視者Ｏｂに関わる、対処が必要な所定のイベントを、管理サーバ装置ＳＶへ通知するための回路である。より具体的には、本実施形態では、ＳＵ制御処理部１４は、被監視者Ｏｂにおける所定の行動を検知してその検知結果を前記所定のイベントの一例として管理サーバ装置ＳＶへ通知（報知、送信）し、ナースコールを受け付けてそのナースコールを前記所定のイベントの他の一例として管理サーバ装置ＳＶへ通知（報知、送信）し、端末装置ＳＰ、ＴＡとの間で音声通話を行い、そして、動画を含む画像を生成して端末装置ＳＰ、ＴＡへ動画を配信する。ＳＵ制御処理部１４は、例えば、ＣＰＵ（Ｃｅｎｔｒａｌ  Ｐｒｏｃｅｓｓｉｎｇ  Ｕｎｉｔ）およびその周辺回路を備えて構成される。ＳＵ制御処理部１４は、前記制御処理プログラムが実行されることによって、センサ側制御部（ＳＵ制御部）１４１、行動検知処理部１４２、ナースコール処理部１４３およびセンサ側ストリーミング処理部（ＳＵストリーミング処理部）１４４を機能的に備える。
【００２７】
ＳＵ制御部１４１は、センサ装置ＳＵの各部を当該各部の機能に応じてそれぞれ制御し、センサ装置ＳＵの全体制御を司るものである。
【００２８】
行動検知処理部１４２は、被監視者Ｏｂにおける、予め設定された所定の行動を検知して検知結果を前記所定のイベントの一例として管理サーバ装置ＳＶへ通知するものである。より具体的には、本実施形態では、前記所定の行動は、例えば、被監視者Ｏｂが起きた起床、被監視者Ｏｂが寝具から離れた離床、被監視者Ｏｂが寝具から落ちた転落、および、被監視者Ｏｂが倒れた転倒の４つの行動である。行動検知処理部１４２は、例えば、撮像部１１で撮像した対象画像に基づいて被監視者Ｏｂの頭部を検出し、この検出した被監視者Ｏｂの頭部における大きさの時間変化に基づいて被監視者Ｏｂの起床、離床、転倒および転落を検知する。より詳しくは、まず、寝具の所在領域、および、第１ないし第３閾値Ｔｈ１〜Ｔｈ３が前記各種の所定のデータの１つとして予めＳＵ記憶部１６に記憶される。前記第１閾値Ｔｈ１は、寝具の所在領域内における横臥姿勢の頭部の大きさと座位姿勢の頭部の大きさとを識別するための値である。前記第２閾値Ｔｈ２は、寝具の所在領域を除く居室ＲＭ内における立位姿勢の頭部の大きさであるか否かを識別するための値である。前記第３閾値Ｔｈ３は、寝具の所在領域を除く居室ＲＭ内における横臥姿勢の頭部の大きさであるか否かを識別するための値である。そして、行動検知処理部１４２は、対象画像から例えば背景差分法やフレーム差分法によって被監視者Ｏｂの人物の領域として動体領域を抽出する。次に、行動検知処理部１４２は、この抽出した動体領域から、例えば円形や楕円形のハフ変換によって、また例えば予め用意された頭部のモデルを用いたパターンマッチングによって、また例えば頭部検出用に学習したニューラルネットワークによって、被監視者Ｏｂの頭部領域を抽出する。次に、行動検知処理部１４２は、この抽出した頭部の位置および大きさから起床、離床、転倒および転落を検知する。例えば、行動検知処理部は、この抽出した頭部の位置が寝具の所在領域内であって、前記抽出した頭部の大きさが前記第１閾値Ｔｈ１を用いることによって横臥姿勢の大きさから座位姿勢の大きさへ時間変化した場合には、起床と判定し、前記起床を検知する。例えば、行動検知処理部１４２は、この抽出した頭部の位置が寝具の所在領域内から寝具の所在領域外へ時間変化した場合であって、前記抽出した頭部の大きさが前記第２閾値Ｔｈ２を用いることによって或る大きさから立位姿勢の大きさへ時間変化した場合には、離床と判定し、前記離床を検知する。例えば、行動検知処理部１４２は、この抽出した頭部の位置が寝具の所在領域内から寝具の所在領域外へ時間変化した場合であって、前記抽出した頭部の大きさが前記第３閾値Ｔｈ３を用いることによって或る大きさから横臥姿勢の大きさへ時間変化した場合には、転落と判定し、前記転落を検知する。例えば、行動検知処理部１４２は、この抽出した頭部の位置が寝具の所在領域を除く居室ＲＭ内であって、前記抽出した頭部の大きさが前記第３閾値Ｔｈ３を用いることによって或る大きさから横臥姿勢の大きさへ時間変化した場合には、転倒と判定し、前記転倒を検知する。
【００２９】
なお、画像上での人物の領域は、所定の大きさ（広さ、サイズ）の範囲内となるので、人物の領域として抽出する動体領域も所定の大きさ（広さ、サイズ）の範囲内となる。このため、動体領域として抽出する範囲が予め設定され、動体領域を抽出する際に、前記対象画像から例えば背景差分法やフレーム差分法によって抽出された動体領域が前記範囲外である場合には、この対象画像から例えば背景差分法やフレーム差分法によって抽出された動体領域は、人物の領域として抽出する動体領域から除外されてよい。
【００３０】
このように前記所定の行動を検知すると、行動検知処理部１４２は、被監視者Ｏｂに関わる所定のイベント（事象）の内容を表すイベント情報（事象情報）を収容した、前記イベントを通知するための第１イベント通知通信信号をＳＵ通信ＩＦ部１５で管理サーバ装置ＳＶへ通知する。より詳しくは、行動検知処理部１４２は、自機のセンサＩＤ、前記イベントの内容を表すイベント情報、前記所定の行動の検知に用いられた対象画像を収容した通信信号（第１イベント通知通信信号）を、ＳＵ通信ＩＦ部１５を介して管理サーバ装置ＳＶへ送信する。前記イベント情報は、本実施形態では、起床、離床、転落、転倒およびナースコール（ＮＣ）のうちの１または複数であり、ここでは、行動検知処理部１４２は、検知した起床、離床、転落および転倒のうちの１または複数を前記イベント情報として第１イベント通知通信信号に収容する。前記画像は、静止画および動画のうちの少なくとも一方であって良く、本実施形態では、後述するように、まず、静止画が報知され、ユーザの要求に応じて動画が配信される。なお、まず、動画が配信されても良く、また、静止画および動画が送信され、画面分割で静止画および動画が端末装置ＳＰ、ＴＡに表示されても良い。
【００３１】
ナースコール処理部１４３は、ナースコール受付操作部１３でナースコールを受け付けた場合にその旨を前記所定のイベントの他の一例として収容した第１イベント通知通信信号を管理サーバ装置ＳＶへ通知し、ＳＵ音入出力部１２等を用いることで端末装置ＳＰ、ＴＡとの間で音声通話を行うものである。より具体的には、ナースコール処理部１４３は、ナースコール受付操作部１３が入力操作されると、自機のセンサＩＤおよび前記イベント情報としてナースコールを収容した第１イベント通知通信信号をＳＵ通信ＩＦ部１５を介して管理サーバ装置ＳＶへ送信する。ナースコール処理部１４３は、ＳＵ音入出力部１２等を用い、端末装置ＳＰ、ＴＡとの間で例えばＶｏＩＰ（Ｖｏｉｃｅ  ｏｖｅｒ  Ｉｎｔｅｒｎｅｔ  Ｐｒｏｔｏｃｏｌ）によって音声通話を行う。
【００３２】
ＳＵストリーミング処理部１４４は、通信ＩＦ部３を介して固定端末装置ＳＰまたは携帯端末装置ＴＡから動画の配信の要求があった場合に、この要求のあった固定端末装置ＳＰまたは携帯端末装置ＴＡへ、撮像部１１で生成した動画（例えばライブの動画）をストリーミング再生でＳＵ通信ＩＦ部１５を介して配信するものである。
【００３３】
図１には、一例として、４個の第１ないし第４センサ装置ＳＵ−１〜ＳＵ−４が示されており、第１センサ装置ＳＵ−１は、被監視者Ｏｂの一人であるＡさんＯｂ−１の居室ＲＭ−１（不図示）に配設され、第２センサ装置ＳＵ−２は、被監視者Ｏｂの一人であるＢさんＯｂ−２の居室ＲＭ−２（不図示）に配設され、第３センサ装置ＳＵ−３は、被監視者Ｏｂの一人であるＣさんＯｂ−３の居室ＲＭ−３（不図示）に配設され、そして、第４センサ装置ＳＵ−４は、被監視者Ｏｂの一人であるＤさんＯｂ−４の居室ＲＭ−４（不図示）に配設されている。
【００３４】
管理サーバ装置ＳＶは、ネットワークＮＷを介して他の装置ＳＵ、ＳＰ、ＴＡと通信する通信機能等を備え、センサ装置ＳＵから前記所定のイベントの通知を受けると、被監視者Ｏｂに対する監視に関する情報（監視情報（本実施形態では例えば前記所定のイベント（センサ装置ＳＵで検知した所定の行動の種類やセンサ装置ＳＵで受け付けたナースコール）、被監視者Ｏｂの画像（静止画および動画）、および、前記通知を受けた時刻等））を管理し、前記所定のイベントを所定の端末装置ＳＰ、ＴＡへ通知（再通知、再報知、送信）し、クライアント（本実施形態では端末装置ＳＰ、ＴＡ等）の要求に応じたデータを前記クライアントに提供し、被監視者監視システムＭＳ全体を管理する装置である。本実施形態では、管理サーバ装置ＳＶは、前記監視機能の停止およびその停止の解除の別をセンサ装置ＳＵに対応付けて監視機能動作状況情報として記憶し、前記端末装置ＳＰ、ＴＡへ前記所定のイベントの通知を実行する場合に、通知元（第１イベント通知通信信号の送信元）のセンサ装置ＳＵに対応付けられた前記監視機能動作状況情報に基づいて、前記端末装置ＳＰ、ＴＡへの前記所定のイベントの通知を制御する。すなわち、前記監視機能動作状況情報が監視機能の停止である場合には、前記所定のイベントの通知が停止され、前記監視機能動作状況情報が監視機能の停止の解除（監視機能の稼働）である場合には、前記所定のイベントの通知が実行される。このような管理サーバ装置ＳＶは、例えば、図３に示すように、サーバ側通信インターフェース部（ＳＶ通信ＩＦ部）２１と、サーバ側制御処理部（ＳＶ制御処理部）２２と、サーバ側記憶部（ＳＶ記憶部）２３とを備える。
【００３５】
ＳＶ通信ＩＦ部２１は、ＳＵ通信ＩＦ部１５と同様に、ＳＶ制御処理部２２に接続され、ＳＶ制御処理部２２の制御に従って通信を行うための通信回路である。ＳＶ通信ＩＦ部２１は、例えば、ＩＥＥＥ８０２．１１規格等に従った通信インターフェース回路を備えて構成される。
【００３６】
ＳＶ記憶部２３は、ＳＶ制御処理部２２に接続され、ＳＶ制御処理部２２の制御に従って、各種の所定のプログラムおよび各種の所定のデータを記憶する回路である。前記各種の所定のプログラムには、例えば、管理サーバ装置ＳＶの各部を当該各部の機能に応じてそれぞれ制御するＳＶ制御プログラムや、被監視者Ｏｂに対する監視に関する所定の情報処理を実行するＳＶ監視プログラム等の制御処理プログラムが含まれる。前記ＳＶ監視プログラムには、センサ装置ＳＵから前記所定のイベントの通知を受けると被監視者Ｏｂの前記監視情報を管理し、前記所定のイベントを所定の端末装置ＳＰ、ＴＡへ通知（再通知、再報知、送信）するＳＶ監視処理プログラムや、監視機能の停止およびその停止の解除の別をセンサ装置ＳＵに対応付けて監視機能動作状況情報としてＳＶ記憶部２３に記憶するＳＶ監視機能動作状況情報記憶処理プログラム等が含まれる。前記ＳＶ監視処理プログラムは、前記所定の端末装置ＳＰ、ＴＡへ前記所定のイベントの通知を実行する場合に、ＳＶ記憶部２３に記憶された、第１イベント通知通信信号の送信元のセンサ装置ＳＵに対応付けられた監視機能動作状況情報に基づいて、前記所定の端末装置ＳＰ、ＴＡへの前記通知を制御する。前記各種の所定のデータには、自機の、管理サーバ装置ＳＶを特定し管理サーバ装置ＳＶを識別するためのサーバ識別子（サーバＩＤ）や、被監視者Ｏｂの前記監視情報や、前記所定のイベントの通知先等の装置ＳＵ、ＳＰ、ＴＡ間の情報を表す装置間情報や、センサ装置ＳＵに関するセンサ情報や、前記監視機能動作状況情報等の各プログラムを実行する上で必要なデータ等が含まれる。ＳＶ記憶部２３は、例えばＲＯＭやＥＥＰＲＯＭ等を備える。ＳＶ記憶部２３は、前記所定のプログラムの実行中に生じるデータ等を記憶するいわゆるＳＶ制御処理部２２のワーキングメモリとなるＲＡＭ等を含む。これら監視情報、装置間情報、センサ情報および監視機能動作状況情報それぞれを記憶するために、ＳＶ記憶部２３は、サーバ側監視情報記憶部（ＳＶ監視情報記憶部）２３１、装置間情報記憶部２３２、サーバ側センサ情報記憶部（ＳＶセンサ情報記憶部）２３３およびサーバ側監視機能動作状況情報記憶部（ＳＶ監視機能動作状況情報記憶部）２３４を機能的に備える。
【００３７】
ＳＶ監視情報記憶部２３１は、各装置ＳＵ、ＳＰ、ＴＡそれぞれとの間で送受信した被監視者Ｏｂの監視情報を記憶するものである。より具体的には、ＳＶ監視情報記憶部２３１には、本実施形態では、前記監視情報として、第１イベント通知通信信号および後述の対応受付通知通信信号等の通信信号に収容された各情報に基づいて、センサＩＤ、イベント情報（本実施形態では起床、離床、転落、転倒およびナースコール）、受信時刻、対象画像（静止画および動画）および対処の有無が互いに対応付けて記憶される。
【００３８】
この監視情報は、本実施形態では、テーブル形式でＳＶ監視情報記憶部３３１に記憶されている。この監視情報を登録するサーバ側監視情報テーブル（ＳＶ監視情報テーブル）ＭＴ−ＳＶは、例えば、図４に示すように、各装置ＳＵ、ＳＰ、ＴＡから受信した通信信号に収容されたセンサＩＤを登録するセンサＩＤフィールド２３１１と、前記受信した通信信号に収容されたイベント情報を登録する事象フィールド（イベントフィールド）２３１２と、前記受信した通信信号の受信時刻を登録する受信時刻フィールド２３１３と、前記受信した通信信号に収容された前記静止画を登録する静止画フィールド２３１４と、ライブ動画の取得先として、前記受信した通信信号に収容されたセンサＩＤに対応するセンサ装置ＳＵの通信アドレス（例えばＩＰアドレス等）を登録する動画フィールド２３１５と、前記受信した通信信号に収容されたイベント情報に対する対応の受付の有無を登録する対応フィールド２３１６とを備え、前記受信した通信信号ごと（各イベントごと）にレコードを備える。静止画フィールド２３１４には、例えば、静止画の画像データが登録されて良く、また例えば、静止画の画像データのファイル名が登録されて良い。対応フィールド２３１６には、後述するように、前記受信した通信信号に収容されたイベント情報に対する対処（対応、処置、措置）する意思がある旨（“対応する”）を端末装置ＳＰ、ＴＡで受け付けたか否かを表すフラグ（対応フラグ）が登録される。例えば、本実施形態では、対応フィールド２３１６には、前記受信した通信信号に収容されたイベント情報（事象フィールド２３１２に登録されたイベント情報）に対処する意思がある旨（“対応する”）を端末装置ＳＰ、ＴＡで受け付けたことを意味する対応フラグ「１」、あるいは、前記受信した通信信号に収容されたイベント情報に対処する意思がある旨（“対応する”）を端末装置ＳＰ、ＴＡで受け付けていないことを意味する対応フラグ「０」が登録される。なお、デフォルトでは、対応フィールド２３１６には、未受付を意味する対応フラグ「０」が登録される。なお、第１イベント通知通信信号に、前記所定の行動を検知した検知時刻または前記ナースコールを受け付けたナースコール受付時刻が収容されている場合には、受信時刻に代え、前記検知時刻または前記ナースコール受付時刻が登録されても良い。
【００３９】
装置間情報記憶部２３２は、前記装置間情報として、本実施形態では、通知先対応関係および通信アドレス対応関係等を記憶するものである。前記通知先対応関係は、センサ装置ＳＵから送信された第１イベント通知通信信号等の通知先（再通知先、再報知先、送信先）を示す、送信元であるセンサＩＤと報知先（再報知先）である端末ＩＤとの対応関係である。前記通信アドレス対応関係は、各装置ＳＵ、ＳＰ、ＴＡのＩＤ（センサＩＤ、端末ＩＤ）とその通信アドレスとの対応関係である。前記端末ＩＤは、端末装置ＳＰ、ＴＡを特定し端末装置ＳＰ、ＴＡを識別するための端末識別子である。
【００４０】
これら通知先対応関係および通信アドレス対応関係は、それぞれ、本実施形態では、テーブル形式で装置間情報記憶部２３２に記憶されている。この通知先対応関係を登録する通知先対応関係情報テーブルＡＴは、例えば、図５Ａに示すように、送信元のセンサ装置ＳＵのセンサＩＤを登録する送信元フィールド２３２１と、送信元フィールド２３２１に登録されたセンサＩＤに対応するセンサ装置ＳＵから通知された通信信号を送信する送信先の端末装置ＳＰ、ＴＡの端末ＩＤを登録する通知先フィールド２３２２とを備え、センサＩＤ（センサ装置ＳＵ）ごとにレコードを備える。前記通信アドレス対応関係を登録する通信アドレス対応関係情報テーブルＤＴは、例えば、図５Ｂに示すように、端末装置ＳＰ、ＴＡの端末ＩＤを登録する端末ＩＤフィールド２３２３と、端末ＩＤフィールド２３２３に登録された端末ＩＤに対応する端末装置ＳＰ、ＴＡの通信アドレスを登録する通信アドレスフィールド２３２４とを備え、端末ＩＤ（端末装置ＳＰ、ＴＡ）ごとにレコードを備える。
【００４１】
なお、センサＩＤ、サーバＩＤおよび端末ＩＤそれぞれは、例えば所定の記号列から成るシリアル番号等であって良く、また例えば通信アドレスであって良い（この場合通信アドレス対応関係は省略できる）。
【００４２】
ＳＶセンサ情報記憶部２３３は、前記センサ情報を記憶するものである。本実施形態では、前記センサ情報は、センサ装置ＳＵに関する情報であり、センサ装置ＳＵのセンサＩＤ、その配設場所およびそれによって監視される被監視者Ｏｂの被監視者名を互いに対応付けた情報である。
【００４３】
このようなセンサ情報は、本実施形態では、テーブル形式でＳＶセンサ情報記憶部２３４に記憶される。より具体的には、センサ情報を登録するサーバ側センサ情報テーブル（ＳＶセンサ情報テーブル）ＳＴ−ＳＶは、例えば、図６に示すように、センサＩＤを登録するセンサＩＤフィールド２３３１と、前記センサＩＤフィールド２３３１に登録されているセンサＩＤを持つセンサ装置ＳＵの配設場所を登録する配設場所フィールド２３３２と、前記センサＩＤフィールド２３３１に登録されているセンサＩＤを持つセンサ装置ＳＵによって監視される被監視者Ｏｂ（すなわち、前記センサＩＤフィールド２３３１に登録されているセンサＩＤを持つセンサ装置ＳＵの配設場所に居る被監視者Ｏｂ）の被監視者名を登録する被監視者名フィールド２３３３と、前記センサＩＤフィールド２３３１に登録されているセンサＩＤを持つセンサ装置ＳＵ、その配設場所およびその被監視者Ｏｂに関する備考を登録する備考フィールド２３３４とを備え、センサＩＤ（すなわち、センサ装置ＳＵ）ごとにレコードを持つ。
【００４４】
ＳＶ監視機能動作状況情報記憶部２３４は、後述の第１監視機能動作状況情報通知通信信号等の通信信号に収容された各情報に基づいて、前記監視機能動作状況情報を記憶するものである。本実施形態では、ＳＶ監視機能動作状況情報記憶部２３４には、監視機能の停止からその解除を実行するまでの解除時間の設定値も記憶される。
【００４５】
これら監視機能動作状況情報および解除時間の設定値は、本実施形態では、テーブル形式でＳＶ監視機能動作状況情報記憶部２３４に記憶される。より具体的には、これらを登録するサーバ側監視機能動作状況情報テーブル（ＳＶ監視機能動作状況情報テーブル）ＦＴ−ＳＶは、例えば、図７に示すように、センサＩＤを登録するセンサＩＤフィールド２３４１と、前記センサＩＤフィールド２３４１に登録されているセンサＩＤを持つセンサ装置ＳＵに対し、監視機能の停止およびその停止の解除の別を登録する監視機能動作状況情報フィールド２３４２と、前記センサＩＤフィールド２３４１に登録されているセンサＩＤを持つセンサ装置ＳＵに対し、解除時間の設定値を登録する解除時間情報フィールド２３４３とを備え、センサＩＤ（センサ装置ＳＵ）ごとにレコードを備える。監視機能の停止およびその停止の解除の別は、例えば、フラグ（監視機能動作状況フラグ）で表され、この監視機能動作状況フラグが監視機能動作状況情報フィールド２３４２に登録される。より具体的には、例えば、本実施形態では、監視機能動作状況情報フィールド２３４２には、監視機能の停止を意味する監視機能動作状況フラグ「１」、あるいは、監視機能の停止の解除（監視機能の稼働）を意味する監視機能動作状況フラグ「０」が登録される。なお、デフォルトでは、監視機能動作状況情報フィールド２３４２には、監視機能の停止の解除を意味する監視機能動作状況フラグ「０」が登録される。また、解除時間情報フィールド２３４３には、デフォルトでは、例えば５分、１０分および３０分等のデフォルト値が解除時間の設定値として登録される。図７に示す例では、デフォルト値は、５分とされている。
【００４６】
ＳＶ制御処理部２２は、管理サーバ装置ＳＶの各部を当該各部の機能に応じてそれぞれ制御し、センサ装置ＳＵから前記所定のイベントの通知を受けると、被監視者Ｏｂに対する監視に関する監視情報を管理し、前記所定のイベントを所定の端末装置ＳＰ、ＴＡへ通知（再通知、再報知、送信）し、クライアントの要求に応じたデータを前記クライアントに提供し、被監視者監視システムＭＳ全体を管理するための回路である。ＳＶ制御処理部２２は、例えば、ＣＰＵおよびその周辺回路を備えて構成される。ＳＶ制御処理部２２は、前記制御処理プログラムが実行されることによって、サーバ側制御部（ＳＶ制御部）２２１、サーバ側監視処理部（ＳＶ監視処理部）２２２およびサーバ側監視機能動作状況情報記憶処理部２２３を機能的に備える。
【００４７】
ＳＶ制御部２２１は、管理サーバ装置ＳＶの各部を当該各部の機能に応じてそれぞれ制御し、管理サーバ装置ＳＶの全体制御を司るものである。
【００４８】
ＳＶ監視処理部２２２は、センサ装置ＳＵから前記所定のイベントの通知を受信すると被監視者Ｏｂに対する監視に関する監視情報を管理し、前記所定のイベントを所定の端末装置ＳＰ、ＴＡへ通知するものである。ＳＶ監視処理部２２２は、前記所定の端末装置ＳＰ、ＴＡへ前記所定のイベントの通知を実行する際に、通知元（第１イベント通知通信信号の送信元）のセンサ装置ＳＵに対応付けられた監視機能動作状況情報に基づいて、前記端末装置ＳＰ、ＴＡへの前記所定のイベントの通知を制御する。
【００４９】
より具体的には、ＳＶ監視処理部２２２は、センサ装置ＳＵから前記第１イベント通知通信信号を受信すると、この受信した第１イベント通知通信信号に収容された、被監視者Ｏｂに対する監視に関する監視情報をＳＶ監視情報記憶部２３１に記憶（記録）する。そして、ＳＶ監視処理部２２２は、この受信した第１イベント通知通信信号を送信したセンサ装置ＳＵに対応する通報先（再通報先、転送先、送信先）を装置間情報記憶部２３２に記憶された前記通知先対応関係から選定（検索）し、この選定した端末装置ＳＰ、ＴＡへ第２イベント通知通信信号を送信する。この選定（検索処理）は、前記受信した第１イベント通知通信信号を送信したセンサ装置ＳＵに対応するセンサＩＤに基づいて実施される。前記第２イベント通知通信信号には、前記第１イベント通知通信信号に収容されたイベント情報が前記所定の行動（起床、離床、転落および転倒のうちの１または複数）である場合には、第１イベント通知通信信号に収容されたセンサＩＤ、イベント情報および対象画像、ならびに、動画のダウンロード先として、第１イベント通知通信信号に収容されたセンサＩＤを持つセンサ装置ＳＵに対応する通信アドレスが収容される。この通信アドレスは、前記受信した第１イベント通知通信信号を送信したセンサ装置ＳＵに対応するセンサＩＤに基づいて通信アドレス対応関係から選定（検索）される。一方、前記第１イベント通知通信信号に収容されたイベント情報がナースコールである場合には、前記第２イベント通知通信信号には、第１イベント通知通信信号に収容されたセンサＩＤおよびイベント情報（ＮＣ）が収容される。
【００５０】
本実施形態では、ＳＶ監視処理部２２２は、前記所定の端末装置ＳＰ、ＴＡへ前記所定のイベントの通知を実行する場合に、すなわち、本実施形態では前記所定の端末装置ＳＰ、ＴＡへ前記第２イベント通知通信信号を送信する場合に、前記受信した第１イベント通知通信信号を送信したセンサ装置ＳＵに対応する、ＳＶ監視機能動作状況情報記憶部２３４に記憶された監視機能動作状況情報に基づいて、前記所定の端末装置ＳＰ、ＴＡへの前記所定のイベントの通知（前記第２イベント通知通信信号の送信）を制御する。より具体的には、ＳＶ監視処理部２２２は、前記受信した第１イベント通知通信信号を送信した送信元のセンサ装置ＳＵの持つセンサＩＤ（本実施形態では第１イベント通知通信信号に収容されたセンサＩＤ）をセンサＩＤ２３４１に登録するレコードを検索し、この検索したレコードの監視機能動作状況情報フィールド２３４２に登録された監視機能動作状況フラグを取り出す。この取り出した監視機能動作状況フラグが「０」の場合、ＳＶ監視処理部２２２は、前記第２イベント通知通信信号の送信を実行し、一方、前記取り出した監視機能動作状況フラグが「１」の場合、ＳＶ監視処理部２２２は、前記第２イベント通知通信信号の送信を停止する。なお、ＳＶ監視処理部２２２は、第２イベント通知通信信号の生成前に、監視機能動作状況情報を参照し、監視機能動作状況フラグが「１」の場合には前記第２イベント通知通信信号を生成する処理を実行せずに、第２イベント通知通信号の送信を停止しても良い。
【００５１】
ＳＶ監視機能動作状況情報記憶処理部２２３は、監視機能の停止およびその停止の解除の別をセンサ装置ＳＵに対応付けて監視機能動作状況情報としてＳＶ監視機能動作状況情報記憶部２３４に記憶するものである。より具体的には、ＳＶ監視機能動作状況情報記憶処理部２２３は、端末装置ＳＰ、ＴＡで受け付けた監視機能動作状況情報および監視機能動作状況情報の対象であるセンサ装置ＳＵのセンサＩＤを収容した通信信号（第１監視機能動作状況情報通知通信信号）を前記端末装置ＳＰ、ＴＡから受信した場合に、この受信した第１監視機能動作状況情報通知通信信号に収容された監視機能動作状況情報を前記センサＩＤと対応付けてＳＶ監視機能動作状況情報記憶部２３４に記憶する。より詳しくは、ＳＶ監視機能動作状況情報記憶処理部２２３は、この受信した第１監視機能動作状況情報通知通信信号に収容されたセンサＩＤを、センサＩＤフィールド２３４１に登録するレコードを検索し、この検索したレコードの監視機能動作状況情報フィールド２３４２に、前記受信した第１監視機能動作状況情報通知通信信号に収容された監視機能動作状況情報を登録し、この監視機能動作状況情報フィールド２３４２の登録内容を更新する。なお、前記受信した第１監視機能動作状況情報通知通信信号に解除時間の設定値が収容されている場合には、ＳＶ監視機能動作状況情報記憶処理部２２３は、前記検索したレコードの解除時間情報フィールド２３４３に、前記受信した第１監視機能動作状況情報通知通信信号に収容された解除時間の設定値を登録し、この解除時間情報フィールド２３４３の登録内容を更新する。ＳＶ監視機能動作状況情報記憶処理部２２３は、第１監視機能動作状況情報通知通信信号を受信してＳＶ監視機能動作状況情報記憶部２３４の登録内容を更新すると、その旨をＳＶ監視処理部２２２へ通知する。
【００５２】
この通知を受けたＳＶ監視処理部２２２は、前記受信した第１監視機能動作状況情報通知通信信号に収容されたセンサＩＤおよび監視機能動作状況情報を収容した通信信号（第２監視機能動作状況情報通知通信信号）を同報通信でネットワークＮＷへ送信する。
【００５３】
なお、管理サーバ装置ＳＶは、図３に破線で示すように、必要に応じて、さらに、ＳＶ制御処理部２２に接続され例えば各種コマンドや各種データ等を入力するサーバ側入力部（ＳＶ入力部）２４、ＳＶ入力部２４で入力された各種コマンドや各種データおよび被監視者Ｏｂに対する監視に関する監視情報等を出力するサーバ側出力部（ＳＶ出力部）２５、および、外部機器との間でデータの入出力を行うサーバ側インターフェース部（ＳＶＩＦ部）２６等を備えても良い。
【００５４】
このような管理サーバ装置ＳＶは、例えば、通信機能付きのコンピュータによって構成可能である。
【００５５】
固定端末装置ＳＰは、ネットワークＮＷを介して他の装置ＳＵ、ＳＶ、ＴＡと通信する通信機能、所定の情報を表示する表示機能、および、所定の指示やデータを入力する入力機能等を備え、管理サーバ装置ＳＶや携帯端末装置ＴＡに与える所定の指示やデータを入力したり、センサ装置ＳＵで得られた監視情報を表示したり等することによって、被監視者監視システムＭＳのユーザインターフェース（ＵＩ）として機能する機器である。このような固定端末装置ＳＰは、例えば、通信機能付きのコンピュータによって構成可能である。なお、前記端末装置の一例としての固定端末装置ＳＰは、携帯端末装置ＴＡと同様に動作するが、本明細書では、前記端末装置の他の一例である携帯端末装置ＴＡについて説明される。
【００５６】
携帯端末装置ＴＡは、ネットワークＮＷを介して他の装置ＳＶ、ＳＰ、ＳＵと通信する通信機能、所定の情報を表示する表示機能、所定の指示やデータを入力する入力機能、および、音声通話を行う通話機能等を備え、管理サーバ装置ＳＶやセンサ装置ＳＵに与える所定の指示やデータを入力したり、管理サーバ装置ＳＶからの通知によってセンサ装置ＳＵで得られた前記監視情報を表示したり、センサ装置ＳＵとの間で音声通話によってナースコールの応答や声かけしたり等するための機器である。このような携帯端末装置ＴＡは、本実施形態では、例えば、図８に示すように、端末側通信インターフェース部（ＴＡ通信ＩＦ部）３１と、端末側制御処理部（ＴＡ制御処理部）３２と、端末側記憶部（ＴＡ記憶部）３３と、端末側音入出力部（ＴＡ音入出力部）３４と、端末側入力部（ＴＡ入力部）３５と、端末側表示部（ＴＡ表示部）３６と、端末側インターフェース部（ＴＡＩＦ部）３７とを備える。
【００５７】
ＴＡ音入出力部３４は、ＳＵ音入出力部１２と同様に、ＴＡ制御処理部３２に接続され、外部の音を取得して携帯端末装置ＴＡに入力するための回路であって、ＴＡ制御処理部３２の制御に従って音を表す電気信号に応じた音を生成して出力するための回路である。
【００５８】
ＴＡ入力部３５は、ＴＡ制御処理部３２に接続され、例えば、所定の操作を受け付け、携帯端末装置ＴＡに入力する回路であり、例えば、所定の機能を割り付けられた複数の入力スイッチ等である。前記所定の操作には、例えば、ログインするためのＩＤの入力操作や、音声通話の要求操作およびその終了操作や、ライブでの動画の要求操作およびその終了操作や、前記通知されたイベントに関わる被監視者Ｏｂに対する例えば救命、看護、介護および介助等の対応（対処、応対）を実行する意思がある旨（“対応する”）の入力操作、監視機能の停止操作およびその解除操作や、解除時間の設定値の入力操作等の、監視する上で必要な各種操作等が含まれる。ＴＡ表示部３６は、ＴＡ制御処理部３２に接続され、ＴＡ制御処理部３２の制御に従って、ＴＡ入力部３５から入力された所定の操作内容や、被監視者監視システムＭＳによって監視されている被監視者Ｏｂに対する監視に関する前記監視情報（例えば前記所定のイベント（センサ装置ＳＵで検知した所定の行動の種類やセンサ装置ＳＵで受け付けたナースコール）、被監視者Ｏｂの画像（静止画および動画）、および、前記通知を受けた時刻等）等を表示する回路であり、例えばＬＣＤ（液晶ディスプレイ）および有機ＥＬディスプレイ等の表示装置である。本実施形態では、ＴＡ入力部３５およびＴＡ表示部３６からタッチパネルが構成されている。この場合において、ＴＡ入力部３５は、例えば抵抗膜方式や静電容量方式等の操作位置を検出して入力する位置入力デバイスである。このタッチパネルでは、ＴＡ表示部３６の表示面上に位置入力デバイスが設けられ、ＴＡ表示部３６に入力可能な１または複数の入力内容の候補が表示され、例えば看護師や介護士等のユーザ（監視者）が、入力したい入力内容を表示した表示位置を触れると、位置入力デバイスによってその位置が検出され、検出された位置に表示された表示内容がユーザの操作入力内容として携帯端末装置ＴＡに入力される。
【００５９】
ＴＡＩＦ部３７は、ＴＡ制御処理部３２に接続され、ＴＡ制御処理部３２の制御に従って、外部機器との間でデータの入出力を行う回路であり、例えば、Ｂｌｕｅｔｏｏｔｈ（登録商標）規格を用いたインターフェース回路、ＩｒＤＡ規格等の赤外線通信を行うインターフェース回路、および、ＵＳＢ規格を用いたインターフェース回路等である。
【００６０】
ＴＡ通信ＩＦ部３１は、ＳＵ通信ＩＦ部１５と同様に、ＴＡ制御処理部３２に接続され、ＴＡ制御処理部３２の制御に従って通信を行うための通信回路である。ＴＡ通信ＩＦ部３１は、例えば、ＩＥＥＥ８０２．１１規格等に従った通信インターフェース回路を備えて構成される。
【００６１】
ＴＡ記憶部３３は、ＴＡ制御処理部３２に接続され、ＴＡ制御処理部３２の制御に従って、各種の所定のプログラムおよび各種の所定のデータを記憶する回路である。前記各種の所定のプログラムには、例えば、携帯端末装置ＴＡの各部を当該各部の機能に応じてそれぞれ制御するＴＡ制御プログラムや、被監視者Ｏｂに対する監視に関する所定の情報処理を実行するＴＡ監視処理プログラムや、ＴＡ音入出力部３４等を用いることでセンサ装置ＳＵとの間で音声通話を行う通話処理プログラムや、センサ装置ＳＵから動画の配信を受け、前記配信を受けた動画をストリーミング再生でＴＡ表示部３６に表示するＴＡストリーミング処理プログラム等の制御処理プログラムが含まれる。前記ＴＡ監視処理プログラムには、管理サーバ装置ＳＶから前記所定のイベントの通知を受けると被監視者Ｏｂの前記監視情報を記憶（記録）するＴＡ監視情報記憶処理プログラムや、前記監視情報等をＴＡ表示部３６に表示するＴＡ表示処理プログラムや、ＴＡ入力部３５で受け付けた入力操作を処理するＴＡ入力操作処理プログラムや、監視機能の停止およびその停止の解除の別をセンサ装置ＳＵに対応付けて監視機能動作状況情報としてＴＡ記憶部３３に記憶するＴＡ監視機能動作状況情報記憶処理プログラムや、停止している監視機能を解除時間の経過後に解除するＴＡ解除処理プログラム等が含まれる。前記各種の所定のデータでは、自機の端末ＩＤ、ＴＡ表示部３６に表示される画面情報、被監視者Ｏｂの前記監視情報、センサ装置ＳＵに関するセンサ情報、前記監視機能動作状況情報等の各プログラムを実行する上で必要なデータ等が含まれる。ＴＡ記憶部３３は、例えばＲＯＭやＥＥＰＲＯＭ等を備える。ＴＡ記憶部３３は、前記所定のプログラムの実行中に生じるデータ等を記憶するいわゆるＴＡ制御処理部３２のワーキングメモリとなるＲＡＭ等を含む。これら監視情報、センサ情報および監視機能動作状況情報それぞれを記憶するために、ＴＡ記憶部３３は、端末側監視情報記憶部（ＴＡ監視情報記憶部）３３１、端末側センサ情報記憶部（ＴＡセンサ情報記憶部）３３２および端末側監視機能動作状況情報記憶部（ＴＡ監視機能動作状況情報記憶部）３３３を機能的に備える。
【００６２】
ＴＡ監視情報記憶部３３１は、前記監視情報を記憶するものである。本実施形態では、ＴＡ監視情報記憶部３３１は、管理サーバ装置ＳＶから受信した第２イベント通知通信信号に収容されたセンサＩＤ、イベント情報（事象情報）、画像および動画のダウンロード先のセンサ装置ＳＵの通信アドレス、ならびに、当該第２イベント通知通信信号の受信時刻等を互いに対応付けて記憶する。より具体的には、ＴＡ監視情報記憶部３３１は、図４に示すように、ＳＶ監視情報テーブルＭＴ−ＳＶと同様な端末側監視情報テーブル（ＴＡ監視情報テーブル）ＭＴ−ＴＡに前記監視情報を記憶する。
【００６３】
ＴＡセンサ情報記憶部３３２は、前記センサ情報を記憶するものである。ＴＡセンサ情報記憶部３３２は、センサＩＤ、配設場所、被監視者名および備考を互いに対応付けて記憶する。より具体的には、ＴＡセンサ情報記憶部３３２は、図６に示すように、ＳＶセンサ情報テーブルＳＴ−ＳＶと同様な端末側センサ情報テーブル（ＴＡセンサ情報テーブル）ＳＴ−ＴＡに前記センサ情報を記憶する。
【００６４】
ＴＡ監視機能動作状況情報記憶部３３３は、前記監視機能動作状況情報を記憶するものである。ＴＡ監視機能動作状況情報記憶部３３３は、センサＩＤおよび監視機能動作状況情報、さらに解除時間の設定値を互いに対応付けて記憶する。より具体的には、ＴＡ監視機能動作状況情報記憶部３３３は、図７に示すように、ＳＶ監視機能動作状況情報テーブルＦＴ−ＳＶと同様な端末側監視機能動作状況情報テーブル（ＴＡ監視機能動作状況情報テーブル）ＦＴ−ＴＡに前記監視機能動作状況情報および解除時間の設定値を記憶する。したがって、本実施形態では、ＴＡ監視機能動作状況情報記憶部３３３は、前記解除時間の設定値を被監視者監視装置（本実施形態ではセンサ装置ＳＵ）と対応付けて記憶する解除時間記憶部の一例に相当する。
【００６５】
ＴＡ制御処理部３２は、携帯端末装置ＴＡの各部を当該各部の機能に応じてそれぞれ制御し、被監視者Ｏｂの前記監視情報を受けて表示し、第１監視機能動作状況情報通知通信信号を管理サーバ装置ＳＶへ送信し、ナースコールの応答や声かけするための回路である。ＴＡ制御処理部３２は、例えば、ＣＰＵおよびその周辺回路を備えて構成される。ＴＡ制御処理部３２は、制御処理プログラムが実行されることによって、端末側制御部（ＴＡ制御部）３２１、端末側監視処理部（ＴＡ監視処理部）３２２、通話処理部３２３および端末側ストリーミング処理部（ＴＡストリーミング処理部）３２４を機能的に備え、ＴＡ監視処理部３２２は、端末側監視情報記憶処理部（ＴＡ監視情報記憶処理部）３２２１、端末側表示処理部（ＴＡ表示処理部）３２２２、端末側入力操作処理部（ＴＡ入力操作処理部）３２２３、端末側監視機能動作状況情報記憶処理部（ＴＡ監視機能動作状況情報記憶処理部）３２２４および端末側解除処理部（ＴＡ解除処理部）３２２５を機能的に備える。
【００６６】
ＴＡ制御部３２１は、携帯端末装置ＴＡの各部を当該各部の機能に応じてそれぞれ制御し、携帯端末装置ＴＡの全体制御を司るものである。
【００６７】
ＴＡ監視処理部３２２は、被監視者Ｏｂに対する監視に関する所定の情報処理を実行するものである。
【００６８】
より具体的には、ＴＡ監視処理部３２２は、管理サーバ装置ＳＶから第２イベント通知通信信号を受信した場合に、ＴＡ監視情報記憶処理部３２２１によって、この受信した第２イベント通知通信信号に収容された各情報（各データ）に基づき、被監視者Ｏｂの監視情報をＴＡ監視情報記憶部３３１に記憶（記録）する。
【００６９】
ＴＡ監視処理部３２２は、ＴＡ表示処理部３２２２によって、前記受信した第２イベント通知通信信号に収容された各情報に応じた画面等をＴＡ表示部３６に表示する。
【００７０】
ＴＡ監視処理部３２２は、ＴＡ入力操作処理部３２２３によって、ＴＡ入力部３５から所定の入力操作を受け付けると、その入力操作に応じた所定の処理を実行する。
【００７１】
ＴＡ監視処理部３２２は、ＴＡ監視機能動作状況情報記憶処理部３２２４によって、監視機能の停止およびその停止の解除の別をセンサ装置ＳＵに対応付けて監視機能動作状況情報としてＴＡ監視機能動作状況情報記憶部３３３に記憶し、この監視機能動作状況情報を管理サーバ装置ＳＶを介して他の端末装置ＳＰ、ＴＡへ通知するための通信信号（第１監視機能動作状況情報通知通信信号）を管理サーバ装置ＳＶへ送信する。前記第１監視機能動作状況情報通信信号には、前記監視機能動作状況情報、および、その対象のセンサ装置ＳＵのセンサＩＤを収容する。より具体的には、ＴＡ監視機能動作状況情報記憶処理部２２３は、ＴＡ入力操作処理部３２２３から後述の「対応する」ボタン５２４の入力操作の通知を受け付けると、ＴＡ表示部３６に表示している監視情報（「対応する」ボタン５２４の入力操作を受け付けた監視情報）のセンサ装置ＳＵが持つセンサＩＤを、センサＩＤフィールド３３３１に登録するレコードを検索し、この検索したレコードの監視機能動作状況情報フィールド３３３２に、監視機能の停止を表す監視機能動作状況フラグ「１」を登録し、この監視機能動作状況情報フィールド３３３２の登録内容を更新する。ここで、後述するように、ＴＡ入力部３５で解除時間の設定値の入力操作を受け付けると、ＴＡ監視機能動作状況情報記憶処理部３２２４は、前記検索したレコードの解除時間情報フィールド３３３３に、前記受け付けた解除時間の設定値を登録し、この解除時間情報フィールド３３３３の登録内容を更新する。そして、ＴＡ監視機能動作状況情報記憶処理部２２３は、このセンサＩＤ、および、監視機能の停止を表す監視機能動作状況情報（例えば監視機能動作状況フラグ「１」等）を収容した第１監視機能動作状況情報通知通信信号を管理サーバ装置ＳＶへ送信する。なお、前記受け付けた解除時間の設定値を受け付けた場合には、前記受け付けた解除時間の設定値も第１監視機能動作状況情報通知通信信号に収容される。さらに、ＴＡ監視機能動作状況情報記憶処理部２２３は、このセンサＩＤのセンサ装置ＳＵにおける監視機能の停止をＴＡ解除処理部３２２５へ通知する。
【００７２】
ＴＡ監視処理部３２２は、ＴＡ解除処理部３２２５によって、前記監視機能の停止を所定の解除時間の経過後に解除する。より具体的には、ＴＡ監視機能動作状況情報記憶処理部２２３から、センサＩＤのセンサ装置ＳＵにおける監視機能の停止の通知を受けると、ＴＡ解除処理部３２２５は、このセンサＩＤに対応付けたタイマーをＴＡ制御処理部３２に機能的に設け、このセンサＩＤをセンサＩＤフィールド３３３１に登録するレコードを検索し、この検索したレコードの解除時間情報フィールド３３３３に登録されている解除時間の設定値で前記タイマーの計時を開始する。タイマーが解除時間の設定値でタイムアップすると、ＴＡ解除処理部３２２５は、このタイムアップしたタイマーに対応付けられたセンサＩＤのセンサ装置ＵＳにおける監視機能の停止の解除をＴＡ監視機能動作状況情報記憶処理部２２３へ通知する。
【００７３】
ＴＡ解除処理部３２２５から、このセンサＩＤのセンサ装置ＵＳにおける監視機能の停止の解除の通知を受けると、ＴＡ監視機能動作状況情報記憶処理部２２３は、このセンサＩＤをセンサＩＤフィールド３３３１に登録するレコードを検索し、この検索したレコードの監視機能動作状況情報フィールド３３３２に、監視機能動作状況フラグ「０」を登録し、監視機能の停止を解除する。そして、ＴＡ監視機能動作状況情報記憶処理部３２２４は、このセンサＩＤ、および、監視機能の停止の解除を表す監視機能動作状況情報（例えば監視機能動作状況フラグ「０」等）を収容した第１監視機能動作状況情報通知通信信号を管理サーバ装置ＳＶへ送信する。
【００７４】
通話処理部３２３は、ＴＡ音入出力部３４等を用いることでセンサ装置ＳＵとの間で音声通話を行うものである。より具体的には、例えば、通話処理部３２３は、ＴＡ音入出力部３４等を用い、第２イベント通知通信信号の送信の原因となった第１イベント通知通信信号を管理サーバ装置ＳＶへ送信した送信元のセンサ装置ＳＵとの間で例えばＶｏＩＰによって音声通話を行う。
【００７５】
ＴＡストリーミング処理部３２４は、センサ装置ＳＵから動画の配信を受け、前記配信を受けた動画をストリーミング再生でＴＡ表示部３６に表示するものである。
【００７６】
このような携帯端末装置ＴＡは、例えば、いわゆるタブレット型コンピュータやスマートフォンや携帯電話機等の、持ち運び可能な通信端末装置によって構成可能である。
【００７７】
次に、実施形態の動作について説明する。図９は、前記センサ装置の動作を示すフローチャートである。図１０は、前記管理サーバ装置の動作を示すフローチャートである。図１１は、前記携帯端末装置の動作を示すフローチャートである。図１２は、「対応する」ボタンの入力操作を受け付けた場合における前記携帯端末装置の動作を示すフローチャートである。図１３は、前記携帯端末装置に表示される待受け画面の一例を示す図である。図１４は、前記携帯端末装置に表示される監視情報画面の一例を示す図である。図１５は、前記携帯端末装置に表示されるナースコール受付画面の一例を示す図である。図１６は、前記携帯端末装置に表示される解除時間設定ウィンドウの一例を示す図である。
【００７８】
このような被監視者監視システムＭＳでは、各装置ＳＵ、ＳＶ、ＳＰ、ＴＡは、電源が投入されると、必要な各部の初期化を実行し、その稼働を始める。センサ装置ＳＵでは、その制御処理プログラムの実行によって、ＳＵ制御処理部１４には、ＳＵ制御部１４１、行動検知処理部１４２、ナースコール処理部１４３およびＳＵストリーミング処理部１４４が機能的に構成される。管理サーバ装置ＳＶでは、その制御処理プログラムの実行によって、ＳＶ制御処理部２２には、ＳＶ制御部２２１、ＳＶ監視処理部２２２およびＳＶ監視機能動作状況情報記憶処理部２２３が機能的に構成される。携帯端末装置ＴＡでは、その制御処理プログラムの実行によって、ＴＡ制御処理部３２には、ＴＡ制御部３２１、ＴＡ監視処理部３２２、通話処理部３２３およびＴＡストリーミング処理部３２４が機能的に構成され、ＴＡ監視処理部３２２には、ＴＡ監視情報記憶処理部３２２１、ＴＡ表示処理部３２２２、ＴＡ入力操作処理部３２２３、ＴＡ監視機能動作状況情報記憶処理部３２２４およびＴＡ解除処理部３２２５が機能的に構成される。
【００７９】
まず、センサ装置ＳＵの動作について説明する。センサ装置ＳＵは、各フレームごとに、あるいは、数フレームおきに、次のように動作することで、被監視者Ｏｂにおける所定の動作を検知し、また、ナースコールの受付の有無を判定している。
【００８０】
図９において、まず、センサ装置ＳＵは、ＳＵ制御処理部１４のＳＵ制御部１４１によって、撮像部１１から１フレーム分の画像（画像データ）を前記対象画像として取得する（Ｓ１１）。
【００８１】
次に、センサ装置ＳＵは、ＳＵ制御処理部１４の行動検知処理部１４２によって、被監視者Ｏｂにおける所定の行動を検知する行動検知処理を前記処理Ｓ１１で取得した対象画像に基づいて実行する（Ｓ１２）。
【００８２】
次に、センサ装置ＳＵは、行動検知処理部１４２によって、前記行動検知処理Ｓ１２で被監視者Ｏｂにおける所定の行動が検知されたか否かを判定する。この判定の結果、前記所定の行動が検知されていない場合（Ｎｏ）には、センサ装置ＳＵは、次に、処理Ｓ１５を実行し、一方、前記所定の行動が検知されている場合（Ｙｅｓ）には、センサ装置ＳＵは、次の処理Ｓ１４を実行した後に、処理Ｓ１５を実行する。
【００８３】
この処理Ｓ１４では、処理Ｓ１２および処理Ｓ１３で検知した所定の行動を管理サーバ装置ＳＶを介して所定の端末装置ＳＰ、ＴＡへ通知するために、センサ装置ＳＵは、行動検知処理部１４２によって、前記所定のイベントとして前記所定の行動の検知に関する第１イベント通知通信信号を管理サーバ装置ＳＶへ送信する。より具体的には、行動検知処理部１４２は、自機のセンサＩＤ、前記所定のイベント（ここでは、起床、離床、転落および転倒のうちの１または複数）および前記対象画像を収容した第１イベント通知通信信号を、ＳＵ通信ＩＦ部１５を介して管理サーバ装置ＳＶへ送信する。
【００８４】
前記処理Ｓ１５では、センサ装置ＳＵは、ナースコール処理部１４３によって、ナースコールを受け付けているか否かを判定する。すなわち、図９に示す処理Ｓ１１ないし処理Ｓ１６は、各フレームごとに、あるいは、数フレームおきに、繰り返し実行されるが、前回における処理Ｓ１５の実行から今般における処理Ｓ１５の実行までの間に、ナースコール受付操作部１３が操作されたか否かが判定される。この判定の結果、ナースコール受付操作部１３が操作されず、ナースコールを受け付けていない場合（Ｎｏ）には、センサ装置ＳＵは、今回の本処理を終了し、一方、ナースコール受付操作部１３が操作され、ナースコールを受け付けている場合（Ｙｅｓ）には、センサ装置ＳＵは、次の処理Ｓ１６を実行した後に、今回の本処理を終了する。
【００８５】
この処理Ｓ１６では、処理Ｓ１５でその受付が判明したナースコールを管理サーバ装置ＳＶを介して所定の端末装置ＳＰ、ＴＡへ報知するために、センサ装置ＳＵは、ナースコール処理部１４３によって、前記所定のイベントとしてナースコールに関する第１イベント通知通信信号を管理サーバ装置ＳＶへ送信する。より具体的には、ナースコール処理部１４３は、自機のセンサＩＤおよび前記所定のイベント（ここではナースコール）を収容した第１イベント通知通信信号を、ＳＵ通信ＩＦ部１５を介して管理サーバ装置ＳＶへ送信する。
【００８６】
被監視者Ｏｂにおける所定の行動の検知やナースコールの受付それぞれに関し、センサ装置ＳＵは、以上のように動作している。
【００８７】
次に、管理サーバ装置ＳＶの動作について説明する。一方、図１０において、管理サーバ装置ＳＶは、ＳＶ制御処理部２２のＳＶ制御部２２１によって、ＳＶ通信ＩＦ部２１で通信信号を受信したか否かを判定する（Ｓ２１）。この判定の結果、通信信号を受信していない場合（Ｎｏ）には、管理サーバ装置ＳＶは、処理をＳ２１に戻し、前記判定の結果、通信信号を受信している場合（Ｙｅｓ）には、管理サーバ装置ＳＶは、次の処理Ｓ２２を実行する。すなわち、管理サーバ装置ＳＶは、通信信号の受信を待ち受けている。
【００８８】
処理Ｓ２２では、管理サーバ装置ＳＶは、ＳＶ制御部２２１によって、この受信した通信信号の種類を判定する。この判定の結果、管理サーバ装置ＳＶは、前記受信した通信信号が第１イベント通知通信信号である場合（第１イベント通知）には、処理Ｓ２３を実行した後に処理Ｓ２６を実行し、前記受信した通信信号が第１監視機能動作状況情報通知通信信号である場合（第１監視機能動作状況情報通知）には、処理Ｓ２４を実行した後に処理Ｓ２６を実行し、そして、前記受信した通信信号がこれら第１イベント通知通信信号および第１監視機能動作状況情報通知通信信号ではない場合（その他）には、処理Ｓ２５を実行した後に処理Ｓ２６を実行する。
【００８９】
処理Ｓ２３では、管理サーバ装置ＳＶは、ＳＶ制御処理部２２のＳＶ監視処理部２２２によって、処理Ｓ２１でセンサ装置ＳＵから受信した第１イベント通知通信信号を処理する。より具体的には、まず、ＳＶ監視処理部２２２は、処理Ｓ２１でセンサ装置ＳＵから受信した第１イベント通知通信信号に収容された、被監視者Ｏｂに対する監視に関する監視情報をＳＶ監視情報記憶部２３１に記憶（記録）する。そして、ＳＶ監視処理部２２２は、処理Ｓ２１で受信した第１イベント通知通信信号を送信したセンサ装置ＳＵに対応する通知先を装置間情報記憶部２３２に記憶された前記通知先対応関係から選定（検索）し、この選定した端末装置ＳＰ、ＴＡへ、前記受信した第１イベント通知通信信号に収容された各情報に応じた第２イベント通知通信信号を送信する。ここで、この第２イベント通知通信信号の送信の際に、ＳＶ監視処理部２２２は、処理Ｓ２１で受信した第１イベント通知通信信号の送信元のセンサ装置ＳＵに対応付けられた監視機能動作状況情報に基づいて、この第２イベント通知通信信号の送信を制御する。より具体的には、ＳＶ監視処理部２２２は、ＳＶ監視機能動作状況情報記憶部２３４に記憶されたＳＶ監視機能動作状況情報テーブルＦＴ−ＳＶから、処理Ｓ２１で受信した第１イベント通知通信信号の送信元のセンサ装置ＳＵの持つセンサＩＤ（本実施形態では第１イベント通知通信信号に収容されたセンサＩＤ）をセンサＩＤ２３４１に登録するレコードを検索し、この検索したレコードの監視機能動作状況情報フィールド２３４２に登録された監視機能動作状況フラグを取り出す。この取り出した監視機能動作状況フラグが「０」の場合、ＳＶ監視処理部２２２は、前記第２イベント通知通信信号の送信を実行し、一方、前記取り出した監視機能動作状況フラグが「１」の場合、ＳＶ監視処理部２２２は、前記第２イベント通知通信信号の送信を停止する。
【００９０】
処理Ｓ２４では、管理サーバ装置ＳＶは、ＳＶ制御処理部２２のＳＶ監視機能動作状況情報記憶処理部２２３によって、処理Ｓ２１で端末装置ＳＰ、ＴＡから受信した第１監視機能動作状況情報通知通信信号に収容された各情報をＳＶ監視機能動作状況情報記憶部２３４に記憶する。より具体的には、ＳＶ監視機能動作状況情報記憶処理部２２３は、ＳＶ監視機能動作状況情報記憶部２３４に記憶されたＳＶ監視機能動作状況情報テーブルＦＴ−ＳＶから、処理Ｓ２１で受信した第１監視機能動作状況情報通知通信信号に収容されたセンサＩＤを、センサＩＤフィールド２３４１に登録するレコードを検索し、この検索したレコードの監視機能動作状況情報フィールド２３４２に、処理Ｓ２１で受信した第１監視機能動作状況情報通知通信信号に収容された監視機能動作状況情報を登録し、この監視機能動作状況情報フィールド２３４２の登録内容を更新する。すなわち、監視機能の停止を表す監視機能動作状況情報が第１監視機能動作状況情報通知通信信号に収容されている場合には、この検索したレコードの監視機能動作状況情報フィールド２３４２に、監視機能動作状況フラグ「１」が登録され、監視機能の停止の解除を表す監視機能動作状況情報が第１監視機能動作状況情報通知通信信号に収容されている場合には、この検索したレコードの監視機能動作状況情報フィールド２３４２に、監視機能動作状況フラグ「０」が登録される。なお、処理Ｓ２１で記受信した第１監視機能動作状況情報通知通信信号に解除時間の設定値が収容されている場合には、ＳＶ監視機能動作状況情報記憶処理部２２３は、前記検索したレコードの解除時間情報フィールド２３４３に、前記受信した第１監視機能動作状況情報通知通信信号に収容された解除時間の設定値を登録し、この解除時間情報フィールド２３４３の登録内容を更新する。そして、ＳＶ監視機能動作状況情報記憶処理部２２３は、第１監視機能動作状況情報通知通信信号を受信してＳＶ監視機能動作状況情報記憶部２３４の登録内容を更新すると、その旨をＳＶ監視処理部２２２へ通知する。
【００９１】
この通知を受けたＳＶ監視処理部２２２は、前記受信した第１監視機能動作状況情報通知通信信号に収容されたセンサＩＤおよび監視機能動作状況情報を収容した第２監視機能動作状況情報通知通信信号を同報通信でネットワークＮＷへ送信する。前記同報通信は、ブロードキャストであって良く、前記受信した第１監視機能動作状況情報通知通信信号の送信元を除く端末装置ＳＰ、ＴＡへのマルチキャストであって良い。
【００９２】
処理Ｓ２５では、管理サーバ装置ＳＶは、ＳＶ制御処理部２２によって、処理Ｓ２１で受信した通信信号に応じた適宜な処理を実行する。
【００９３】
そして、これら処理Ｓ２３ないし処理Ｓ２５それぞれの後に実行される前記処理Ｓ２６では、管理サーバ装置ＳＶは、ＳＶ制御処理部２２によって、その稼働が終了（停止）か否かを判定する。この判定の結果、稼働の終了（停止）である場合（Ｙｅｓ）には、管理サーバ装置ＳＶは、本処理を終了し、一方、稼働の終了（停止）ではない場合（Ｎｏ）には、管理サーバ装置ＳＶは、処理を処理Ｓ２１に戻す。
【００９４】
センサ装置ＳＵから受信した第１イベント通知通信信号や端末装置ＳＰ、ＴＡから受信した第１監視機能動作状況情報通知通信信号それぞれに関し、監視サーバ装置ＳＶは、以上のように動作している。
【００９５】
次に、端末装置ＳＰ、ＴＡの動作について説明する。ここでは、代表的に、携帯端末装置ＴＡの動作について説明する。上述したように、電源が投入され、その稼働を始めると、携帯端末装置ＴＡでは、例えば看護師や介護士等の監視者（ユーザ）によるログイン操作が受け付けられ、ＴＡ監視処理部３２２によって、自機宛の通信信号を待ち受ける待受け画面がＴＡ表示部３６に表示される。この待受け画面５１は、例えば、図１３に示すように、メニューバーを表示するメニューバー領域５１１と、待ち受け中であることを表すメッセージ（例えば「通知はありません」）およびアイコンを表示する待受けメイン領域５１２と、現在時刻を表示する時刻領域５１３と、今日の年月日曜日を表示する年月日曜日領域５１４と、今、当該携帯端末装置ＴＡにログインしているユーザ名を表示するユーザ名領域５１５とを備える。
【００９６】
そして、図１１において、携帯端末装置ＴＡは、ＴＡ制御処理部３２のＴＡ制御部３２１によって、ＴＡ通信ＩＦ部３１で通信信号を受信したか否かを判定する（Ｓ３１）。この判定の結果、通信信号を受信していない場合（Ｎｏ）には、携帯端末装置ＴＡは、処理をＳ３１に戻し、前記判定の結果、通信信号を受信している場合（Ｙｅｓ）には、携帯端末装置ＴＡは、次の処理Ｓ３２を実行する。すなわち、携帯端末装置ＴＡは、通信信号の受信を待ち受けている。
【００９７】
処理Ｓ３２では、携帯端末装置ＴＡは、ＴＡ制御部３２１によって、この受信した通信信号の種類を判定する。この判定の結果、携帯端末装置ＴＡは、前記処理Ｓ３１で受信した通信信号が第２イベント通知通信信号である場合（第２イベント通知）には、次の処理Ｓ３３を実行し、前記処理Ｓ３１で受信した通信信号が第２監視機能動作状況情報通知通信信号である場合（第２監視機能動作状況情報通知）には、次の処理Ｓ３７を実行した後に、本処理を終了し、そして、前記処理Ｓ３１で受信した通信信号が第２イベント通知通信信号および第２監視機能動作状況情報通知通信信号ではない場合（その他）には、処理Ｓ３１で受信した通信信号に応じた適宜な処理を行う処理Ｓ３８を実行した後に、本処理を終了する。
【００９８】
処理Ｓ３７では、携帯端末装置ＴＡは、ＴＡ制御処理部３２におけるＴＡ監視処理部３２２のＴＡ監視機能動作状況情報記憶処理部３２２４によって、処理Ｓ３１で管理サーバ装置ＳＶから受信した第２監視機能動作状況情報通知通信信号に収容された各情報をＴＡ監視機能動作状況情報記憶部３３３に記憶する。より具体的には、ＴＡ監視機能動作状況情報記憶処理部３２２４は、ＴＡ監視機能動作状況情報記憶部３３３に記憶されたＴＡ監視機能動作状況情報テーブルＦＴ−ＴＡから、処理Ｓ３１で受信した第２監視機能動作状況情報通知通信信号に収容されたセンサＩＤを、センサＩＤフィールド３３３１に登録するレコードを検索し、この検索したレコードの監視機能動作状況情報フィールド３３３２に、処理Ｓ３１で受信した第２監視機能動作状況情報通知通信信号に収容された監視機能動作状況情報を登録し、この監視機能動作状況情報フィールド３３３２の登録内容を更新する。すなわち、監視機能の停止を表す監視機能動作状況情報が第２監視機能動作状況情報通知通信信号に収容されている場合には、この検索したレコードの監視機能動作状況情報フィールド３３３２に、監視機能動作状況フラグ「１」が登録され、監視機能の停止の解除を表す監視機能動作状況情報が第２監視機能動作状況情報通知通信信号に収容されている場合には、この検索したレコードの監視機能動作状況情報フィールド３３３２に、監視機能動作状況フラグ「０」が登録される。なお、処理Ｓ３１で記受信した第２監視機能動作状況情報通知通信信号に解除時間の設定値が収容されている場合には、ＴＡ監視機能動作状況情報記憶処理部３２２４は、前記検索したレコードの解除時間情報フィールド３３３３に、前記受信した第２監視機能動作状況情報通知通信信号に収容された解除時間の設定値を登録し、この解除時間情報フィールド３３３３の登録内容を更新する。これによって本携帯端末装置ＴＡは、他の端末装置ＳＰ、ＴＡによる監視機能の停止およびその停止の解除と同期できる。
【００９９】
処理Ｓ３３では、携帯端末装置ＴＡは、ＴＡ制御処理部３２におけるＴＡ監視処理部３２２のＴＡ監視情報記憶処理部３２２１によって、処理Ｓ３１で管理サーバ装置ＳＶから受信した第２イベント通知通信信号に収容された、被監視者Ｏｂに対する監視に関する監視情報をＴＡ監視情報記憶部３３１に記憶（記録）する。
【０１００】
この処理Ｓ３３の次に、携帯端末装置ＴＡは、ＴＡ制御処理部３２におけるＴＡ監視処理部３２２のＴＡ表示処理部３２２２によって、処理Ｓ３１で受信した第２イベント通知通信信号に収容されたイベント情報で表される前記イベントの内容を表示するためのイベント画面をＴＡ表示部３６に表示する。より具体的には、ＴＡ表示処理部３２２２は、処理Ｓ３１で受信した第２イベント通知通信信号に収容された前記イベント情報が前記所定の行動である場合には、例えば図１４に示す監視情報画面５２をＴＡ表示部３６に表示し、一方、処理Ｓ３１で受信した第２イベント通知通信信号に収容された前記イベント情報が前記ナースコールである場合には、例えば図１５に示すナースコール受付画面５３をＴＡ表示部３６に表示する。
【０１０１】
この監視情報画面５２は、被監視者Ｏｂの監視に関する前記監視情報を表示するための画面である。前記監視情報画面５２は、例えば、図１４に示すように、メニューバー領域５１１と、処理Ｓ３１で受信した第２イベント通知通信信号に収容されたセンサＩＤを持つセンサ装置ＳＵの配設場所および前記センサＩＤを持つ前記センサ装置ＳＵによって監視される被監視者Ｏｂの名前を表示する被監視者名領域５２１と、処理Ｓ３１で受信した第２イベント通知通信信号の受信時刻（または前記所定の行動の検知時刻）からの経過時間、および、処理Ｓ３１で受信した第２イベント通知通信信号に収容された前記イベント情報（前記所定の行動の検知結果）を表示する検知情報表示領域５２２と、処理Ｓ３１で受信した第２イベント通知通信信号に収容された画像（すなわち、前記センサＩＤを持つ前記センサ装置ＳＵによって撮像された対象画像）（ここでは静止画）を表示する画像領域５２３と、「対応する」ボタン５２４と、「話す」ボタン５２５と、「ＬＩＶＥを見る」ボタン５２６と、「一時ＯＦＦ」ボタン５２７とを備える。
【０１０２】
被監視者名領域５２１にセンサ装置ＳＵの配設場所および被監視者Ｏｂの名前を表示するために、処理Ｓ３１で受信した第２イベント通知通信信号に収容されたセンサＩＤを検索キーに、センサ装置ＳＵの配設場所および被監視者Ｏｂの名前がＴＡセンサ情報記憶部３３２から検索され、表示される。検知情報表示領域５２２には、処理Ｓ３１で受信した第２イベント通知通信信号に収容された前記検知結果（本実施形態では、起床、離床、転落および転倒の各名称）がそのまま表示されても良いが、本実施形態では、前記検知結果を象徴的に表すアイコンで表示されている。このアイコンで表示するために、ＴＡ記憶部３３には、各行動およびその行動を象徴的に表すアイコンが互いに対応付けられて予め記憶される。図１４に示す例では、検知情報表示領域５２２には、起床を象徴的に表す起床アイコンが表示されている。「対応する」ボタン５２４は、ＴＡ表示部に表示されたイベント画面に表示された前記イベントに対して所定の対応を実施する意思が監視者にある旨を入力するためのボタンである。この監視情報画面５２では、「対応する」ボタン５２４は、この監視情報画面５２に表示された検知結果に対し例えば救命、看護、介護および介助等の所定の対応（応対、対処）を実施する意思が当該携帯端末装置ＴＡのユーザにある旨を表す実施意思情報を、当該携帯端末装置ＴＡに入力するためのボタンである。そして、後述するように、この「対応する」ボタン５２４の入力操作を受け付けると、携帯端末装置ＴＡは、この監視情報画面５２にかかるセンサＩＤのセンサ装置ＳＵに関する、被監視者Ｏｂを監視する監視機能を停止するために、前記センサＩＤのセンサ装置ＳＵに関する第１監視機能動作状況情報通知通信信号を管理サーバ装置ＳＶへ送信する。したがって、本実施形態では、ＴＡ入力部３５が、前記表示部に表示されたイベント画面に表示された前記イベントに対して所定の対応を実施する意思が監視者にある旨の入力を受け付ける対応入力部の一例に対応し、「対応する」ボタン５２４は、第１ボタンの一例に対応する。「話す」ボタン５２５は、音声通話を要求するためのボタンであって、前記センサＩＤのセンサ装置ＳＵと当該携帯端末装置ＴＡとをネットワークＮＷを介して通話可能に接続する指示を入力するためのボタンである。「ＬＩＶＥを見る」ボタン５２６は、ライブでの動画を要求するためのボタンであって、前記センサＩＤのセンサ装置ＳＵによって撮像される動画を表示させる指示を入力するためのボタンである。「一時ＯＦＦ」ボタン５２７は、前記センサＩＤのセンサ装置ＳＵに関する監視機能の停止を当該携帯端末装置ＴＡに入力するためのボタンであって、前記センサＩＤのセンサ装置ＳＵに関する監視機能を監視サーバ装置ＳＶに停止させる指示を入力するためのボタンである。この「一時ＯＦＦ」ボタン５２７の入力操作を受け付けると、携帯端末装置ＴＡは、前記センサＩＤのセンサ装置ＳＵに関する監視機能を停止するために、前記センサＩＤのセンサ装置ＳＵに関する第１監視機能動作状況情報通知通信信号を管理サーバ装置ＳＶへ送信する。したがって、本実施形態では、ＴＡ入力部３５が、前記監視機能の停止を受け付ける停止入力部の一例に対応し、「一時ＯＦＦ」ボタン５２７は、第２ボタンの一例に対応する。
【０１０３】
前記ナースコール受付画面５３は、ナースコールの受付を表示するための画面である。このナースコール受付画面５３は、例えば、図１５に示すように、メニューバー領域５１１と、被監視者名領域５２１と、検知情報表示領域５２２と、ナースコールを受け付けた旨を表すメッセージ（例えば「ナースコールです」）を表示するナースコール受付通知表示領域５３１と、「対応する」ボタン５２４と、「話す」ボタン５２５と、「一時ＯＦＦ」ボタン５２７とを備える。このナースコール受付画面５３では、検知情報表示領域５２２には、処理Ｓ３１で受信した第２イベント通知通信信号の受信時刻（または前記ナースコールを受け付けた受付時刻）からの経過時間のみが表示される。
【０１０４】
なお、ナースコール受付画面５３は、「ＬＩＶＥを見る」ボタン５２６をさらに備えても良い。
【０１０５】
そして、処理Ｓ３４の次に、携帯端末装置ＴＡは、ＴＡ制御処理部３２によって、ＴＡ入力部３５およびＴＡ表示部３６を備えて成るタッチパネルで入力操作を受け付けたか否かを判定する（Ｓ３５）。この判定の結果、入力操作を受け付けていない場合（Ｎｏ）には、携帯端末装置ＴＡは、処理を処理Ｓ３５に戻し、一方、前記判定の結果、入力操作を受け付けている場合には、携帯端末装置ＴＡは、次の処理Ｓ３６を実行する。
【０１０６】
この処理Ｓ３６では、携帯端末装置ＴＡは、ＴＡ制御処理部３２によって、入力操作の内容に応じた適宜な処理を実行し、本処理を終了する。
【０１０７】
例えば、携帯端末装置ＴＡは、ＴＡ制御処理部３２におけるＴＡ監視処理部３２２のＴＡ入力操作処理部３２２３によって、前記タッチパネルを構成するＴＡ入力部３５から「対応する」ボタン５２４の入力操作を受け付けると（すなわち、前記対応意思を受け付けると）、図１２において、まず、現在、ＴＡ表示部３６に表示している被監視者Ｏｂの監視情報に、「対応する」を受け付けた旨を付してＴＡ監視情報記憶部３３１に記憶する（Ｓ４１）。より具体的には、ＴＡ入力操作処理部３２２３は、ＴＡ監視情報記憶処理部３２２１によって、ＴＡ監視情報記憶部３３１に記憶されているＴＡ監視情報テーブルＭＴ−ＴＡにおいて、現在、ＴＡ表示部３６に表示している被監視者Ｏｂの監視情報を登録しているレコード（ここでは前記処理Ｓ３１で受信した第２イベント通知通信信号に収容されていた監視情報を登録したレコード）の対応フィールド３３１６に、対応の受付を表す対応フラグ「１」を登録する。
【０１０８】
次に、ＴＡ入力操作処理部３２２３は、ＴＡ監視情報記憶処理部３２２１によって、ＴＡ表示部３６に表示している被監視者Ｏｂの監視情報に対応するセンサＩＤおよび「対応する」を受け付けた旨を表す情報（対応受付情報）を収容した通信信号（対応受付通知通信信号）を管理サーバ装置ＳＶへ送信する（Ｓ４２）。この対応受付通知通信信号を受信した管理サーバ装置ＳＶは、ＳＶ制御処理部２２によって、この受信した対応受付通知通信信号に収容されたセンサＩＤおよび対応受付情報を収容した通信信号（対応受付周知通信信号）を同報通信で端末装置ＳＰ、ＴＡへ送信する。これによって、ＴＡ表示部３６に表示している被監視者Ｏｂの監視情報に対応するセンサＩＤに関し、「対応する」を受け付けた旨が各端末装置ＳＰ、ＴＡ間で同期される。
【０１０９】
次に、ＴＡ入力操作処理部３２２３は、監視機能の停止を自動的に解除するまでの解除時間を設定する解除時間の設定処理を実行する（Ｓ４３）。より具体的には、ＴＡ表示処理部３２２２によって、解除時間の設定値を受け付けるための解除時間設定画面をＴＡ表示部３６に表示する。より詳しくは、ＴＡ表示処理部３２２２は、例えば、図１６に示すように、解除時間の設定値を受け付けるための解除時間設定画面５５１をＴＡ表示部３６に表示中の画面に重ねてウィンドウでＴＡ表示部３６に表示する。この解除時間設定画面５５１は、解除時間の設定値を表示する解除時間設定値表示領域５５１１と、解除時間設定値表示領域５５１１に表示されている解除時間の設定値を１秒ずつカウントアップするためのカウントアップボタン５５１２（▲）と、解除時間設定値表示領域５５１１に表示されている解除時間の設定値を１秒ずつカウントダウンするためのカウントダウンボタン５５１３（▼）とを備える。解除時間設定画面５５１を開いた際（表示した際）には、ＴＡ表示部３６に表示している被監視者Ｏｂの監視情報に対応するセンサＩＤを登録するレコードの解除時間情報フィールド３３３３に登録されている解除時間が解除時間設定値表示領域５５１１に表示される。この解除時間設定画面５５１では、監視者等のユーザによって、カウントアップボタン５５１２の入力操作やカウントダウンボタン５５１３の入力操作によって解除時間設定値表示領域５５１１に表示されている解除時間の設定値が変更され、監視者等のユーザによって、解除時間設定画面５５１が「タップ」操作されることで、解除時間設定値表示領域５５１１に表示されている解除時間の設定値が確定され、携帯端末装置ＴＡに入力される。なお、解除時間設定画面５５１は、何ら入力操作を受け付けない場合には、所定時間（例えば３秒や５秒等）の経過後に自動的に閉じ（表示を終了し）、解除時間の設定値の受付が終了される。したがって、本実施形態では、ＴＡ入力部３５が、解除時間の設定値を受け付ける解除時間入力部の一例に対応する。そして、ＴＡ入力部３５は、解除時間の設定値を、ＴＡ表示部３６に表示されているイベント画面における前記イベントの内容を表すイベント情報を収容したイベント通知通信信号を送信した被監視者監視装置（本実施形態では第１イベント通知通信信号を送信したセンサ装置ＳＵ）に対する前記解除時間の設定値として受け付けている。
【０１１０】
次に、ＴＡ入力操作処理部３２２３は、ＴＡ監視機能動作状況情報記憶処理部３２２４によって、監視機能の停止およびその停止の解除の別をセンサ装置ＳＵに対応付けて監視機能動作状況情報としてＴＡ監視機能動作状況情報記憶部３３３に記憶し（Ｓ４４）、この監視機能動作状況情報を管理サーバ装置ＳＶを介して他の端末装置ＳＰ、ＴＡへ通知するための第１監視機能動作状況情報通知通信信号を管理サーバ装置ＳＶへ送信する（Ｓ４５）。より具体的には、ＴＡ監視機能動作状況情報記憶処理部２２３は、ＴＡ監視機能動作状況情報記憶部３３３に記憶されているＴＡ監視機能動作状況情報テーブルＦＴ−ＴＡから、ＴＡ表示部３６に表示している監視情報（「対応する」ボタン５２４の入力操作を受け付けた監視情報）のセンサ装置ＳＵが持つセンサＩＤを、センサＩＤフィールド３３３１に登録するレコードを検索し、この検索したレコードの監視機能動作状況情報フィールド３３３２に、監視機能の停止を表す監視機能動作状況フラグ「１」を登録し、この監視機能動作状況情報フィールド３３３２の登録内容を更新する。ここで、処理Ｓ４３でＴＡ入力部３５から解除時間の設定値の入力操作を受け付けている場合には、ＴＡ監視機能動作状況情報記憶処理部３２２４は、前記検索したレコードの解除時間情報フィールド３３３３に、前記受け付けた解除時間の設定値を登録し、この解除時間情報フィールド３３３３の登録内容を更新する。そして、ＴＡ入力操作処理部３２２３は、このセンサＩＤ、および、監視機能の停止を表す監視機能動作状況情報（例えば監視機能動作状況フラグ「１」等）を収容した第１監視機能動作状況情報通知通信信号を管理サーバ装置ＳＶへ送信する。なお、前記受け付けた解除時間の設定値を受け付けた場合には、前記受け付けた解除時間の設定値も第１監視機能動作状況情報通知通信信号に収容される。したがって、本実施形態では、ＴＡ入力操作処理部３２２３が、前記対応入力部で入力操作を受け付けた場合に、前記被監視者を監視する監視機能を停止する停止処理部の一例に対応する。さらに、ＴＡ監視機能動作状況情報記憶処理部２２３は、このセンサＩＤのセンサ装置ＳＵにおける監視機能の停止をＴＡ解除処理部３２２５へ通知する。
【０１１１】
ＴＡ監視機能動作状況情報記憶処理部２２３から、前記センサＩＤのセンサ装置ＳＵにおける監視機能の停止の通知を受けると、ＴＡ解除処理部３２２５は、ＴＡ監視機能動作状況情報記憶部３３３に記憶された設定値の解除時間の経過後に、前記監視機能の停止を解除する監視機能の停止の解除処理を実行する（Ｓ４６）。より具体的には、ＴＡ解除処理部３２２５は、このセンサＩＤに対応付けたタイマーをＴＡ制御処理部３２に機能的に設け、ＴＡ監視機能動作状況情報記憶部３３３に記憶されているＴＡ監視機能動作状況情報テーブルＦＴ−ＴＡから、このセンサＩＤをセンサＩＤフィールド３３３１に登録するレコードを検索し、この検索したレコードの解除時間情報フィールド３３３３に登録されている解除時間の設定値で前記タイマーの計時を開始する。タイマーが解除時間の設定値でタイムアップすると、ＴＡ解除処理部３２２５は、このタイムアップしたタイマーに対応付けられたセンサＩＤのセンサ装置ＵＳにおける監視機能の停止の解除をＴＡ監視機能動作状況情報記憶処理部２２３へ通知する。ＴＡ解除処理部３２２５から、このセンサＩＤのセンサ装置ＵＳにおける監視機能の停止の解除の通知を受けると、ＴＡ監視機能動作状況情報記憶処理部２２３は、ＴＡ監視機能動作状況情報記憶部３３３に記憶されているＴＡ監視機能動作状況情報テーブルＦＴ−ＴＡから、このセンサＩＤをセンサＩＤフィールド３３３１に登録するレコードを検索し、この検索したレコードの監視機能動作状況情報フィールド３３３２に、監視機能動作状況フラグ「０」を登録し、監視機能の停止を解除する。そして、ＴＡ監視機能動作状況情報記憶処理部３２２４は、このセンサＩＤ、および、監視機能の停止の解除を表す監視機能動作状況情報（例えば監視機能動作状況フラグ「０」等）を収容した第１監視機能動作状況情報通知通信信号を管理サーバ装置ＳＶへ送信する。
【０１１２】
「対応する」ボタン５２４の入力操作を受け付けると、携帯端末装置ＴＡは、このように動作している。
【０１１３】
また例えば、携帯端末装置ＴＡは、ＴＡ入力操作処理部３２２３によって、「話す」ボタン５２５の入力操作を受け付けると、通話処理部３２３によって、ＴＡ表示部３６に表示している被監視者Ｏｂを監視するセンサ装置ＳＵへ、音声通話を要求する旨等の情報を収容した通信信号（通話要求通信信号）を送信し、これに応じたセンサ装置ＳＵとネットワークＮＷを介して音声通話可能に接続する。これによって携帯端末装置ＴＡとセンサ装置ＳＵとの間で音声通話が可能となる。なお、携帯端末装置ＴＡは、ＴＡ入力操作処理部３２２３によって、音声通話の終了の指示を入力するためのボタンである図略の「終了」ボタンの入力操作を受け付けると、通話処理部３２３によって、ＴＡ表示部３６に表示している被監視者Ｏｂを監視するセンサ装置ＳＵへ、音声通話の終了を要求する旨等の情報を収容した通信信号（通話終了通信信号）を送信する。これによって携帯端末装置ＴＡとセンサ装置ＳＵとの間での音声通話が終了される。
【０１１４】
また例えば、携帯端末装置ＴＡは、ＴＡ入力操作処理部３２２３によって、「ＬＩＶＥを見る」ボタン５２６の入力操作を受け付けると、ＴＡストリーミング処理部３２４によって、現在、ＴＡ表示部３６に表示している被監視者Ｏｂを監視するセンサ装置ＳＵへ、ライブでの動画の配信を要求する旨等の情報を収容した通信信号（動画配信要求通信信号）を送信し、これに応じたセンサ装置ＳＵとネットワークＮＷを介して動画のダウンロード可能に接続し、前記センサ装置ＳＵからライブでの動画の配信を受け、この配信を受けた動画をストリーミング再生でＴＡ表示部３６に表示する。このライブでの動画を表示する監視情報画面５２では、画像領域５２３に動画が表示され、そして、「ＬＩＶＥを見る」ボタン５２６に代え図略の「ＬＩＶＥ終了」ボタンが表示される。これによって携帯端末装置ＴＡには、ライブでの動画が表示される。前記図略の「ＬＩＶＥ終了」ボタンは、動画の終了を要求するためのボタンであって、前記センサＩＤの前記センサ装置ＳＵによって撮像される動画の配信を終了（停止）させ表示を終了（停止）させる指示を入力するためのボタンである。携帯端末装置ＴＡは、ＴＡ入力操作処理部３２２３によって、「ＬＩＶＥ終了」ボタンの入力操作を受け付けると、ＴＡストリーミング処理部３２４によって、現在、ＴＡ表示部３６に表示している被監視者Ｏｂを監視するセンサ装置ＳＵへ、動画配信の終了を要求する旨等の情報を収容した通信信号（動画配信終了通信信号）を送信し、静止画をＴＡ表示部３６に表示する。これによって携帯端末装置ＴＡは、ライブでの動画の表示を終了する。
【０１１５】
また例えば、携帯端末装置ＴＡは、ＴＡ入力操作処理部３２２３によって、「一時ＯＦＦ」ボタン５２７の入力操作を受け付けると、図１２を用いて上述した処理Ｓ４３ないし処理Ｓ４６と同様の各処理を実行する。これによって監視機能が解除時間の設定値だけ一時的にオフする。
【０１１６】
管理サーバ装置ＳＶから受信した第２イベント通知通信信号や第２監視機能動作状況情報通信信号に関し、携帯端末装置ＴＡは、以上のように動作している。
【０１１７】
「対応する」ボタン５２４の入力操作は、監視者が被監視者Ｏｂの下に赴く蓋然性が高い。以上説明したように、本実施形態における被監視者監視システムＭＳ、端末装置ＳＰ、ＴＡおよびこれらの実装された制御方法は、この「対応する」ボタン５２４の入力操作を受け付けると、これにかかる第２イベント通知通信信号の送信を管理サーバ装置ＳＶが停止することで、被監視者Ｏｂを監視する監視機能を停止する。したがって、前記監視者が被監視者Ｏｂの下に赴く場合に、上記被監視者監視システムＭＳ、端末装置ＳＰ、ＴＡおよび制御方法は、前記「対応する」ボタン５２４の入力操作とは別途に、前記監視機能の停止の入力操作を行わなくても、前記監視機能を自動的に停止でき、監視機能の稼働によって生じ得る監視者の監視による誤報を低減できる。被監視者Ｏｂの状態によって迅速さが要求される場合があり、このような場合では、入力操作をより少なくしたいとの要望がある。上記によれば、このような要望に応えることができる。このように上記被監視者監視システムＭＳ、端末装置ＳＰ、ＴＡおよび制御方法は、前記監視機能に対するその動作および非動作を適切に切り換えることができる。
【０１１８】
上記被監視者監視システムＭＳ、端末装置ＳＰ、ＴＡおよび制御方法は、ＴＡ解除処理部３２２５を備えるので、監視機能の停止を解除する入力操作を行わなくても、停止した監視機能を自動的に解除でき、監視機能に対するその動作および非動作をより適切に切り換えることができる。
【０１１９】
前記特許文献１に開示されたナースコールシステムは、子機呼出信号に応じた報知部の非動作を所定時間の経過後に一律に解除するため、監視者等の所望により、前記報知部の非動作を解除できない。しかしながら、上記被監視者監視システムＭＳ、端末装置ＳＰ、ＴＡおよび制御方法は、解除時間設定画面５５１で解除時間を設定できるので、監視機能の停止を自動的に解除するまでの前記解除時間を所望の時間に設定でき、監視機能に対するその動作および非動作をより適切に切り換えることができる。特に、同じ業務でも被監視者Ｏｂの個性や状態等によって前記業務の完遂に要する時間が異なる場合があり、上記被監視者監視システムＭＳ、端末装置ＳＰ、ＴＡおよび制御方法は、前記被監視者の個性や状体等に応じて適切な解除時間を設定できる。
【０１２０】
上記被監視者監視システムＭＳ、端末装置ＳＰ、ＴＡおよび制御方法は、「一時ＯＦＦ」ボタン５２７を備えるので、監視者の所望のタイミングで監視機能を停止できる。特に、ナースコールの内容によっては監視者が被監視者の下に赴く必要がない場合があり、上記被監視者監視システムＭＳ、端末装置ＳＰ、ＴＡおよび制御方法は、このような場合に適切に対処できる。また、「一時ＯＦＦ」ボタン５２７の入力操作で監視機能を停止して、前記監視機能による続報を抑えながら、動画をライブで見ることもできる。
【０１２１】
なお、上述の実施形態では、端末装置ＳＰ、ＴＡは、管理サーバ装置ＳＶに第２イベント通知通信信号の送信を停止させることで、監視機能を停止したが、端末装置ＳＰ、ＴＡは、管理サーバ装置ＳＶを介して、センサ装置ＳＵに第１イベント通知通信信号の送信を停止させることで、監視機能を停止しても良い。この場合では、例えば、管理サーバ装置ＳＶは、端末装置ＳＰ、ＴＡから第１監視機能動作状況通知通信信号を受信した場合に、この受信した第１監視機能動作状況通知通信信号に収容された監視機能動作状況情報が監視機能の停止である場合には、前記受信した第１監視機能動作状況通知通信信号に収容されたセンサＩＤを持つセンサ装置ＳＵに、行動検知処理部１４２による行動検知処理の停止およびナースコールの受付停止を指示する（命令する）通信信号を前記センサ装置ＳＵへ送信し、前記受信した第１監視機能動作状況通知通信信号に収容された監視機能動作状況情報が監視機能の停止の解除である場合には、前記受信した第１監視機能動作状況通知通信信号に収容されたセンサＩＤを持つセンサ装置ＳＵに、行動検知処理部１４２による行動検知処理の停止の解除およびナースコールの受付停止の解除を指示する（命令する）通信信号を前記センサ装置ＳＵへ送信する。また例えば、管理サーバ装置ＳＶは、端末装置ＳＰ、ＴＡから第１監視機能動作状況通知通信信号を受信した場合に、この受信した第１監視機能動作状況通知通信信号に収容された監視機能動作状況情報が監視機能の停止である場合には、前記受信した第１監視機能動作状況通知通信信号に収容されたセンサＩＤを持つセンサ装置ＳＵに、第１イベント通知通信信号の送信の停止を指示する（命令する）通信信号を、前記センサ装置ＳＵへ送信し、前記受信した第１監視機能動作状況通知通信信号に収容された監視機能動作状況情報が監視機能の停止の解除である場合には、前記受信した第１監視機能動作状況通知通信信号に収容されたセンサＩＤを持つセンサ装置ＳＵに、第１イベント通知通信信号の送信の停止の解除を指示する（命令する）通信信号を前記センサ装置ＳＵへ送信する。
【０１２２】
また、上述の実施形態では、端末装置ＳＰ、ＴＡは、管理サーバ装置ＳＶに第２イベント通知通信信号の送信を停止させることで、監視機能を停止したが、端末装置ＳＰ、ＴＡは、第２イベント通知通信信号を受信しても、第２イベント通知通信信号に収容されたイベント情報で表される前記イベントの内容を表示するためのイベント画面（上述では監視情報画面５２やナースコール受付画面５３）をＴＡ表示部３６に表示しないことで、監視機能を停止しても良い。
【０１２３】
また、上述の実施形態において、端末装置ＳＰ、ＴＡは、監視機能の動作状況をＴＡ表示部３６に表示するように構成されても良い。図１７は、前記携帯端末装置に表示される監視機能動作状況画面の一例を示す図である。この図１７に示す例では、監視機能動作状況画面５４は、監視機能の動作状況をセンサ装置ＳＵ（センサＩＤ）ごとに表示するだけでなく、監視機能の停止およびその停止の解除の別をセンサ装置ＳＵ（センサＩＤ）ごとに設定できるようになっている。
【０１２４】
より具体的には、図１３に示す待受け画面５１、図１４に示す監視情報画面５２および図１５に示すナースコール受付画面５３等において、そのメニューバー領域５１１に表示されたメニューバーにおける設定メニューボタン５１１１が入力操作されると、ＴＡ入力操作処理部３２２３は、ＴＡ表示処理部３２２２によって、ＴＡ監視機能動作状況情報記憶部３３３に記憶されている監視機能動作状況情報に基づいて、複数の被監視者監視装置（本実施形態ではセンサ装置ＳＵ）における監視機能動作状況を表示するための監視機能動作状況画面５１をＴＡ表示部３６に表示する。図１７において、この監視機能動作状況画面５４は、監視機能を停止しているセンサ装置ＳＵを表す停止装置情報を表示するための監視機能停止表示領域５４１と、前記監視機能の停止を解除しているセンサ装置ＳＵを表す解除装置情報を表示するための監視機能稼働表示領域５４２とを備え、ＴＡ表示処理部３２２２は、監視機能動作状況画面５４の監視機能停止表示領域５４１に、前記監視機能を停止しているセンサ装置ＳＵを表す停止装置情報を表示し、前記監視機能動作状況画面５４の監視機能稼働表示領域５４２に、前記監視機能の停止を解除しているセンサ装置ＳＵを表す解除装置情報を表示する。図１７に示す例では、ＴＡ表示部３６を正面視した場合に、ＴＡ表示部３６には、相対的に上側に、監視機能停止表示領域５４１が表示され、相対的に下側に、監視機能稼働表示領域５４２が表示されている。
【０１２５】
監視機能停止表示領域５４１には、２個の停止装置情報５４１−１、５４１−２が表示されており、これら停止装置情報５４１−１、５４１−２は、それぞれ、監視機能の停止およびその停止の解除の別を表す動作状況情報５４３と、当該停止装置情報に対応するセンサ装置ＳＵを表す装置情報５４４と、停止開始からの経過時間を表す停止時間情報５４５とを備える。監視機能稼働表示領域５４２には、３個の解除装置情報５４２−１〜５４２−３が表示されており、これら解除装置情報５４２−１〜５４２−３は、それぞれ、前記動作状況情報５４３と、前記装置情報５４４とを備える。前記動作状況情報５４３は、図１７に示す例では、監視機能の停止およびその停止の解除の別を象徴的に表すアイコンで表示されている。監視機能の停止は、バー「−」を含む○のアイコンで表され、監視機能の停止の解除は、上半身の輪郭線のアイコンで表されている。装置情報５４４は、センサ装置ＳＵのセンサＩＤで表されても良いが、ここでは、センサＩＤを検索キーとしてＴＡセンサ情報記憶部３３２から取り出される、前記センサＩＤを持つセンサ装置ＳＵにおける配設場所および被監視者名で表されている。
【０１２６】
図１７に示す例では、停止装置情報５４１−１、５４１−２それぞれは、当該停止装置情報５４１−１、５４１−２のセンサ装置ＳＵに対し、監視機能の停止の解除を当該携帯端末装置ＴＡに入力するためのボタンになっている。このボタンとしての停止装置情報が入力操作されると、当該停止装置情報にかかる監視機能動作状況情報が更新、記憶され（停止→解除）、これに応じた監視機能動作状況情報通知通信信号（解除）が送信され、当該停止装置情報が解除装置情報に変更される。解除装置情報５４２−１〜５４２−３それぞれは、当該解除装置情報５４２−１〜５４２−３のセンサ装置ＳＵに対し、監視機能の停止を当該携帯端末装置ＴＡに入力するためのボタンになっている。このボタンとしての解除装置情報が入力操作されると、当該解除装置情報にかかる監視機能動作状況情報が更新、記憶され（解除→停止）、これに応じた監視機能動作状況情報通知通信信号（解除）が送信され、当該解除装置情報が停止装置情報に変更される。なお、上述のように、解除時間設定画面５５１が表示され、解除時間が設定されても良い。
【０１２７】
このような被監視者監視システムＭＳ、端末装置ＳＰ、ＴＡおよび制御方法は、監視機能動作状況画面５４を表示できるので、センサ装置ＳＵごとに監視機能の動作状況を目視できる。そして、上記被監視者監視システムＭＳ、端末装置ＳＰ、ＴＡおよび制御方法は、前記監視機能を停止しているセンサ装置ＳＵと、前記監視機能の停止を解除しているセンサ装置ＳＵ（すなわち、前記監視機能を稼働しているセンサ装置ＳＵ）とを、監視機能停止表示領域５４１と監視機能稼働表示領域５４２とに分けて監視機能動作状況画面５４で表示するので、前記監視機能を停止しているセンサ装置ＳＵと、前記監視機能の停止を解除しているセンサ装置ＳＵと容易に見分けることができる。
【０１２８】
好ましくは、上述の監視機能動作状況画面５４において、ＴＡ表示処理部３２２２は、監視機能動作状況画面５４の監視機能停止表示領域５４１に、前記停止装置情報を、前記監視機能を停止した時刻の時系列順に、または、前記監視機能を停止している時間の時間長順に、表示する。図１７に示す例では、２個の停止装置情報５４１−１、５４１−２は、ＴＡ解除処理部３２２５によって設けられた上述のタイマーを参照することで、前記監視機能を停止した時刻の時系列順に、監視機能停止表示領域５４１に表示されている。なお、デフォルトでは、所定の順番で、例えば、部屋番号順や被監視者名順等で表示され、前記時系列順や時間長順での表示が要求された場合、上述のように前記停止装置情報がソートされても良い。このような被監視者監視システムＭＳ、端末装置ＳＰ、ＴＡおよび制御方法は、監視機能停止表示領域５４１に、監視機能を停止しているセンサ装置ＳＵを、前記監視機能を停止した時刻の時系列順に、または、前記監視機能を停止している時間の時間長順に、表示するので、前記監視機能を停止した順に、監視機能を停止しているセンサ装置ＳＵを目視できる。特に、監視者が第１イベント通知通信信号を送信したセンサ装置ＳＵをうっかり確認せずに、ＴＡ入力部３５の入力操作を行ってしまった場合、前記監視者は、前記監視機能動作状況画面５４を目視することで、直近に、監視機能を停止したセンサ装置ＳＵを確認できるから、前記うっかり確認しなかったセンサ装置ＳＵを追って（後付けで）認識できる。
【０１２９】
本明細書は、上記のように様々な態様の技術を開示しているが、そのうち主な技術を以下に纏める。
【０１３０】
一態様にかかる端末装置は、通信を行う通信部と、表示を行う表示部と、監視対象である被監視者に関わる所定のイベントの内容を表すイベント情報を収容した、前記イベントを通知するためのイベント通知通信信号を前記通信部で受信した場合に、前記受信したイベント通知通信信号に収容されたイベント情報で表される前記イベントの内容を表示するためのイベント画面を前記表示部に表示する表示処理部と、前記表示部に表示されたイベント画面に表示された前記イベントに対して所定の対応を実施する意思が監視者にある旨の入力を受け付ける対応入力部と、前記対応入力部で入力操作を受け付けた場合に、前記被監視者を監視する監視機能を停止する停止処理部とを備える。好ましくは、上述の端末装置において、前記所定のイベントは、前記被監視者における、予め設定された所定の行動である。好ましくは、上述の端末装置において、前記所定のイベントは、ナースコールである。好ましくは、上述の端末装置において、前記イベント画面は、被監視者の監視に関する監視情報を表示するための監視情報画面であり、前記監視情報には、前記被監視者における、予め設定された所定の行動が含まれる。好ましくは、上述の端末装置において、前記イベント画面は、ナースコールの受付を表示するためのナースコール受付画面である。好ましくは、上述の端末装置において、前記表示部と前記対応入力部とは、タッチパネルを構成し、前記対応入力部は、前記表示部に表示された第１ボタンである。好ましくは、上述の端末装置において、前記監視機能の停止は、前記イベント通知通信信号の送信元に、前記イベント通知通信信号の送信を停止させることによって実行される。好ましくは、上述の端末装置において、前記監視機能の停止は、前記イベント通知通信信号の受信した場合に、前記表示処理部に、前記受信したイベント通知通信信号のイベント画面を表示させないことによって実行される。
【０１３１】
前記所定の対応を実施する意思が監視者にある旨の入力は、前記監視者が被監視者の下に赴く蓋然性が高い。上記端末装置は、対応入力部で入力操作を受け付けると、前記監視機能を停止する。したがって、前記監視者が前記被監視者の下に赴く場合に、上記端末装置は、前記所定の対応を実施する意思が監視者にある旨の入力操作とは別途に、前記監視機能の停止の入力操作を行わなくても、前記監視機能を自動的に停止でき、監視機能の稼働によって生じ得る監視者の監視による誤報を低減できる。このように上記端末装置は、被監視者における所定のイベント（事象）の検出やその報知やその表示等の監視機能に対するその動作および非動作を適切に切り換えることができる。
【０１３２】
他の一態様では、上述の端末装置において、前記監視機能の停止を所定の解除時間の経過後に解除する解除処理部をさらに備える。
【０１３３】
このような端末装置は、前記解除処理部をさらに備えるので、監視機能の停止を解除する入力操作を行わなくても、停止した監視機能を自動的に解除でき、監視機能に対するその動作および非動作をより適切に切り換えることができる。
【０１３４】
他の一態様では、上述の端末装置において、前記解除時間の設定値を受け付ける解除時間入力部と、前記解除時間入力部で受け付けた前記解除時間の設定値を記憶する解除時間記憶部とをさらに備え、前記解除処理部は、前記解除時間記憶部に記憶された前記設定値の解除時間の経過後に、前記監視機能の停止を解除する。好ましくは、上述の端末装置において、前記イベント通知通信信号は、被監視者を監視する複数の被監視者監視装置それぞれに起因して送信され、前記解除時間入力部は、前記解除時間の設定値を、前記表示部に表示されているイベント画面における前記イベントの内容を表すイベント情報を収容したイベント通知通信信号を送信した被監視者監視装置に対する前記解除時間の設定値として受け付け、前記解除時間記憶部は、前記解除時間の設定値を被監視者監視装置と対応付けて記憶する。
【０１３５】
前記特許文献１に開示されたナースコールシステムは、子機呼出信号に応じた報知部の非動作を所定時間の経過後に一律に解除するため、監視者等の所望により、前記報知部の非動作を解除できない。しかしながら、上記端末装置は、前記解除時間入力部をさらに備えるので、監視機能の停止を自動的に解除するまでの解除時間を所望の時間に設定でき、監視機能に対するその動作および非動作をより適切に切り換えることができる。特に、同じ業務でも被監視者の個性や状態等によって前記業務の完遂に要する時間が異なる場合があり、上記端末装置は、前記被監視者の個性や状体等に応じて適切な解除時間を設定できる。
【０１３６】
他の一態様では、上述の端末装置において、前記監視機能の停止を受け付ける停止入力部をさらに備え、前記停止処理部は、さらに、前記停止入力部で監視機能の停止を受け付けた場合に、前記被監視者を監視する監視機能を停止する。好ましくは、上述の端末装置において、前記表示部と前記停止入力部とは、タッチパネルを構成し、前記停止入力部は、前記表示部に表示された第２ボタンである。
【０１３７】
このような端末装置は、前記停止入力部をさらに備えるので、監視者の所望のタイミングで監視機能を停止できる。特に、ナースコールの内容によっては監視者が被監視者の下に赴く必要がない場合があり、上記端末装置は、このような場合に適切に対処できる。また、端末装置が被監視者の動画を略ライブで見る機能をさらに備える場合に、前記停止入力部の入力操作で監視機能を停止して、前記監視機能による続報を抑えながら、前記動画をライブで見ることもできる。
【０１３８】
他の一態様では、上述の端末装置において、前記イベント通知通信信号は、被監視者を監視する複数の被監視者監視装置それぞれに起因して送信され、前記監視機能の停止およびその停止の解除の別を被監視者監視装置に対応付けて監視機能動作状況情報として記憶する監視機能動作状況情報記憶部をさらに備え、前記表示処理部は、前記監視機能動作状況情報記憶部に記憶されている監視機能動作状況情報に基づいて、前記複数の被監視者監視装置における監視機能動作状況を表示するための監視機能動作状況画面を前記表示部に表示し、前記監視機能動作状況画面は、前記監視機能を停止している被監視者監視装置を表す停止装置情報を表示するための監視機能停止表示領域と、前記監視機能の停止を解除している被監視者監視装置を表す解除装置情報を表示するための監視機能稼働表示領域とを備え、前記表示処理部は、前記監視機能動作状況画面の監視機能停止表示領域に、前記監視機能を停止している被監視者監視装置を表す停止装置情報を表示し、前記監視機能動作状況画面の監視機能稼働表示領域に、前記監視機能の停止を解除している被監視者監視装置を表す解除装置情報を表示する。
【０１３９】
このような端末装置は、前記監視機能動作状況画面を表示できるので、被監視者監視装置ごとに監視機能の動作状況を目視できる。上記端末装置は、前記監視機能を停止している被監視者監視装置と、前記監視機能の停止を解除している被監視者監視装置（すなわち、前記監視機能を稼働している被監視者監視装置）とを、監視機能停止表示領域と監視機能稼働表示領域とに分けて前記監視機能動作状況画面で表示するので、前記監視機能を停止している被監視者監視装置と、前記監視機能の停止を解除している被監視者監視装置と容易に見分けることができる。
【０１４０】
他の一態様では、上述の端末装置において、前記表示処理部は、前記監視機能動作状況画面の監視機能停止表示領域に、前記停止装置情報を、前記監視機能を停止した時刻の時系列順に、または、前記監視機能を停止している時間の時間長順に、表示する。
【０１４１】
このような端末装置は、監視機能停止表示領域に、監視機能を停止している被監視者監視装置を、前記監視機能を停止した時刻の時系列順に、または、前記監視機能を停止している時間の時間長順に、表示するので、前記監視機能を停止した順に、監視機能を停止している被監視者監視装置を目視できる。特に、監視者がイベント通知通信信号を送信した被監視者監視装置をうっかり確認せずに、対応入力部の入力操作を行ってしまった場合、前記監視者は、前記監視機能動作状況画面を目視することで、直近に、監視機能を停止した被監視者監視装置を確認できるから、前記うっかり確認しなかった被監視者監視装置を追って（後付けで）認識できる。
【０１４２】
他の一態様にかかる端末装置の制御方法は、監視対象である被監視者に関わる所定のイベントの内容を表すイベント情報を収容した、前記イベントを通知するためのイベント通知通信信号を受信する受信工程と、前記受信工程で受信したイベント通知通信信号に収容されたイベント情報で表される前記イベントの内容を表示するためのイベント画面を、表示を行う表示部に表示する表示処理工程と、前記表示部に表示されたイベント画面に表示された前記イベントに対して所定の対応を実施する意思が監視者にある旨の入力を受け付ける対応入力工程と、前記対応入力工程で入力操作を受け付けた場合に、前記被監視者を監視する監視機能を停止する停止処理工程ととを備える。
【０１４３】
このような端末装置の制御方法は、対応入力工程で入力操作を受け付けると、前記監視機能を停止する。したがって、上記端末装置の制御方法は、前記所定の対応を実施する意思が監視者にある旨の入力操作とは別途に、前記監視機能の停止の入力操作を行わなくても、前記監視機能を自動的に停止でき、監視機能の稼働によって生じ得る監視者の監視による誤報を低減できる。このように上記端末装置の制御方法は、被監視者における所定のイベント（事象）の検出やその報知やその表示等の監視機能に対するその動作および非動作を適切に切り換えることができる。
【０１４４】
他の一態様にかかる被監視者監視システムは、監視対象である被監視者を監視して前記被監視者に関わる所定のイベントの内容を表すイベント情報を収容した、前記イベントを通知するためのイベント通知通信信号を送信する被監視者監視装置と、これら上述のいずれかの端末装置とを備える。
【０１４５】
このような被監視者監視システムは、これら上述のいずれかの端末装置とを備えるので、被監視者における所定のイベント（事象）の検出やその報知やその表示等の監視機能に対するその動作および非動作を適切に切り換えることができる。
【０１４６】
この出願は、２０１６年２月２４日に出願された日本国特許出願特願２０１６−３２７７７を基礎とするものであり、その内容は、本願に含まれるものである。
【０１４７】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【０１４８】
本発明によれば、端末装置および端末装置の制御方法ならびに被監視者監視システムが提供できる。
【図１】
2017145520.tif 000003
【図２】
2017145520.tif 000004
【図３】
2017145520.tif 000005
【図４】
2017145520.tif 000006
【図５】
2017145520.tif 000007
【図６】
2017145520.tif 000008
【図７】
2017145520.tif 000009
【図８】
2017145520.tif 000010
【図９】
2017145520.tif 000011
【図１０】
2017145520.tif 000012
【図１１】
2017145520.tif 000013
【図１２】
2017145520.tif 000014
【図１３】
2017145520.tif 000015
【図１４】
2017145520.tif 000016
【図１５】
2017145520.tif 000017
【図１６】
2017145520.tif 000018
【図１７】
2017145520.tif 000019
【国際調査報告】
2017145520.tif 000020
2017145520.tif 000021
2017145520.tif 000022